(57)【要約】  無線通信に関する方法、システム、装置、およびデバイスが説明される。一例では、ある帯域を使用する事業者と関連付けられる事業者識別子または帯域を使用する事業者と関連付けられるクリアチャネルアセスメント（ＣＣＡ）スロットインデックスの少なくとも１つに基づいて、シーケンスが決定され得る。決定されたシーケンスに基づく少なくとも１つのチャネルが、帯域を通じて通信するために使用され得る。
2016536851.tif 000002
【特許請求の範囲】
【請求項１】
帯域を使用する事業者と関連付けられる事業者識別子または前記帯域を使用する前記事業者と関連付けられるクリアチャネルアセスメント（ＣＣＡ）スロットインデックスの少なくとも１つに基づいて、シーケンスを決定することと、
前記決定されたシーケンスに基づいて、少なくとも１つのチャネルを使用して前記帯域を通じて通信することとを具備する、無線通信の方法。
【請求項２】
前記帯域は共有帯域である、請求項１の方法。
【請求項３】
前記少なくとも１つのチャネルを使用して前記帯域を通じて通信することは、前記決定されたシーケンスに基づいて前記少なくとも１つのチャネルのデータをスクランブルすること、または、前記決定されたシーケンスによって前記少なくとも１つのチャネルのデータをインターリーブすることの少なくとも１つを具備する、請求項１の方法。
【請求項４】
前記少なくとも１つのチャネルを使用して前記帯域を通じて通信することは、前記少なくとも１つのチャネルを通じて前記シーケンスを受信することを具備し、前記方法は、
前記決定されたシーケンスに基づいてセルを識別することをさらに具備する、請求項１の方法。
【請求項５】
前記少なくとも１つのチャネルを使用して前記帯域を通じて通信することは、前記少なくとも１つのチャネルを通じて前記シーケンスを受信することを備え、
前記決定されたシーケンスに基づいて前記事業者識別子を決定することをさらに具備する、請求項１の方法。
【請求項６】
前記シーケンスは同期信号とともに受信され、前記事業者識別子は、前記事業者と関連付けられる基地局から受信されるマスター情報ブロックを復号する前に決定される、請求項５の方法。
【請求項７】
前記シーケンスを決定することは、
前記事業者識別子に基づいてシーケンス生成器の初期値を決定することを具備する、請求項１の方法。
【請求項８】
前記シーケンスは参照シーケンスを具備し、前記少なくとも１つのチャネルは、制御チャネル、データチャネル、ランダムアクセスチャネル、物理マルチキャストチャネル、または同期チャネルの少なくとも１つを具備する、請求項１の方法。
【請求項９】
前記決定されたシーケンスに基づいて少なくとも１つの参照信号を生成することをさらに具備し、
前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号の少なくとも１つを具備する、請求項８の方法。
【請求項１０】
前記シーケンスはさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定される、請求項１の方法。
【請求項１１】
前記事業者識別子は、前記事業者の公衆陸上モバイルネットワーク（ＰＬＭＮ）識別子または前記事業者のサービス識別子の少なくとも１つに基づいて決定される、請求項１の方法。
【請求項１２】
第１の事業者は、前記帯域に関する第２の事業者と関連付けられる第２の事業者識別子とは別の、前記帯域に関する第１の事業者識別子と関連付けられる、請求項１の方法。
【請求項１３】
プロセッサと、
前記プロセッサに接続されるメモリとを具備し、前記プロセッサは、
帯域を使用する事業者と関連付けられる事業者識別子または前記帯域を使用する前記事業者と関連付けられるクリアチャネルアセスメント（ＣＣＡ）スロットインデックスの少なくとも１つに基づいて、シーケンスを決定し、
前記決定されたシーケンスに基づいて、少なくとも１つのチャネルを使用して前記帯域を通じて通信する、無線通信用装置。
【請求項１４】
前記帯域は共有帯域である、請求項１３の装置。
【請求項１５】
前記少なくとも１つのチャネルを使用して前記帯域を通じて通信する前記プロセッサは、前記決定されたシーケンスに基づいて前記少なくとも１つのチャネルのデータをスクランブルする前記プロセッサ、または、前記決定されたシーケンスによって前記少なくとも１つのチャネルのデータをインターリーブする前記プロセッサの少なくとも１つを具備する、請求項１３の装置。
【請求項１６】
前記少なくとも１つのチャネルを使用して前記帯域を通じて通信する前記プロセッサは、前記少なくとも１つのチャネルを通じて前記シーケンスを受信する前記プロセッサを具備し、前記プロセッサはさらに、
前記決定されたシーケンスに基づいてセルを識別する、請求項１３の装置。
【請求項１７】
前記少なくとも１つのチャネルを使用して前記帯域を通じて通信する前記プロセッサは、前記少なくとも１つのチャネルを通じて前記シーケンスを受信する前記プロセッサを具備し、前記プロセッサはさらに、
前記決定されたシーケンスに基づいて事業者識別子を決定する、請求項１３の装置。
【請求項１８】
前記シーケンスは同期信号とともに受信され、前記事業者識別子は、前記事業者と関連付けられる基地局から受信されるマスター情報ブロックを復号する前に決定される、請求項１７の装置。
【請求項１９】
前記シーケンスを決定する前記プロセッサは、前記事業者識別子に基づいてシーケンス生成器の初期値を決定する前記プロセッサを具備する、請求項１３の装置。
【請求項２０】
前記シーケンスは参照シーケンスを具備し、前記少なくとも１つのチャネルは、制御チャネル、データチャネル、ランダムアクセスチャネル、物理マルチキャストチャネル、または同期チャネルの少なくとも１つを具備する、請求項１３の装置。
【請求項２１】
前記プロセッサはさらに、前記決定されたシーケンスに基づいて少なくとも１つの参照信号を生成し、
前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号の少なくとも１つを具備する、請求項２０の装置。
【請求項２２】
前記シーケンスはさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定される、請求項１３の装置。
【請求項２３】
前記事業者識別子は、前記事業者の公衆陸上モバイルネットワーク（ＰＬＭＮ）識別子または前記事業者のサービス識別子の少なくとも１つに基づいて決定される、請求項１３の装置。
【請求項２４】
第１の事業者は、前記帯域に関する第２の事業者と関連付けられる第２の事業者識別子とは別の、前記帯域に関する第１の事業者識別子と関連付けられる、請求項１３の装置。
【請求項２５】
無線チャネルに関するチャネル品質情報を測定することと、
前記チャネル品質情報と事業者識別子とを具備する測定結果報告を基地局に送信することとを具備する、無線通信の方法。
【請求項２６】
前記事業者識別子は公衆陸上モバイルネットワーク（ＰＬＭＮ）識別子を具備する、請求項２５の方法。
【請求項２７】
前記測定結果報告はさらに、セル識別子を具備する、請求項２５の方法。
【請求項２８】
プロセッサと、
前記プロセッサに接続されるメモリとを具備し、前記プロセッサは、
無線チャネルに関するチャネル品質情報を測定し、
前記チャネル品質情報と事業者識別子とを具備する測定結果報告を基地局に送信する、無線通信用装置。
【請求項２９】
前記事業者識別子は公衆陸上モバイルネットワーク（ＰＬＭＮ）識別子を具備する、請求項２８の装置。
【請求項３０】
前記測定結果報告はさらに、セル識別子を具備する、請求項２８の装置。
【発明の詳細な説明】
【技術分野】
【０００１】
相互参照
[0001]本特許出願は、各々が本出願の譲受人に譲渡された、２０１４年９月１８日に出願された「ＳＥＱＵＥＮＣＥ  ＧＥＮＥＲＡＴＩＯＮ  ＦＯＲ  ＳＨＡＲＥＤ  ＳＰＥＣＴＲＵＭ」と題されるＷｅｉらによる米国特許出願第１４／４９０，１５４号、および２０１３年１０月４日に出願された「ＳＥＱＵＥＮＣＥ  ＧＥＮＥＲＡＴＩＯＮ  ＦＯＲ  ＳＨＡＲＥＤ  ＳＰＥＣＴＲＵＭ」と題されるＷｅｉらによる米国仮特許出願第６１／８８７，０３４号の優先権を主張する。
【背景技術】
【０００２】
[0002]無線通信ネットワークは、音声、ビデオ、パケットデータ、メッセージング、ブロードキャストなどの様々な通信サービスを提供するために広く展開されている。これらの無線ネットワークは、利用可能なネットワークリソースを共有することによって複数のユーザをサポートすることが可能な多元接続ネットワークであり得る。
【０００３】
[0003]無線通信ネットワークはいくつかのアクセスポイントを含み得る。セルラーネットワークのアクセスポイントは、ＮｏｄｅＢ（ＮＢ）またはｅｖｏｌｖｅｄ  ＮｏｄｅＢ（ｅＮＢ）のような、いくつかの基地局を含み得る。無線ローカルエリアネットワーク（ＷＬＡＮ）のアクセスポイントは、ＷｉＦｉ（登録商標）ノードのような、いくつかのＷＬＡＮアクセスポイントを含み得る。各アクセスポイントは、いくつかのユーザ機器（ＵＥ）の通信をサポートすることができ、しばしば同時に複数のＵＥと通信することができる。同様に、各ＵＥは、いくつかのアクセスポイントと通信することができ、時々、複数のアクセスポイントおよび／または異なるアクセス技術を使用するアクセスポイントと通信することができる。アクセスポイントは、ダウンリンクおよびアップリンクを介してＵＥと通信することができる。ダウンリンク（または順方向リンク）は、アクセスポイントからＵＥへの通信リンクを指し、アップリンク（または逆方向リンク）は、ＵＥからアクセスポイントへの通信リンクを指す。
【０００４】
[0004]セルラーネットワークがより混雑するようになるにつれて、事業者は容量を増大させるための方法に注目し始めている。１つの手法は、セルラーネットワークのトラフィックおよび／またはシグナリングの一部をオフロードするためにＷＬＡＮを使用することを含み得る。免許帯域において動作するセルラーネットワークとは異なり、ＷｉＦｉネットワークは一般に免許不要帯域において動作するので、ＷＬＡＮ（またはＷｉＦｉネットワーク）は魅力的である。
【０００５】
[0005]異なるプロトコル（例えば、セルラープロトコルおよびＷＬＡＮプロトコル）を使用して通信するデバイスが帯域を共有するとき、異なる事業者によって送信される（または異なる事業者から受信される）信号を区別することが有用であり得る。
【発明の概要】
【０００６】
[0006]説明される特徴は一般に、無線通信のための１つ以上の改善された方法、システム、装置、および／またはデバイスに関する。より具体的には、説明される特徴は、無線通信において使用されるシーケンスの決定に関する。シーケンスは、事業者識別子またはクリアチャネルアセスメント（ＣＣＡ）スロットインデックスの一方または両方に基づいて決定され得る。
【０００７】
[0007]いくつかの例では、無線通信の方法は、ある帯域を使用する事業者と関連付けられる事業者識別子または帯域を使用する事業者と関連付けられるクリアチャネルアセスメント（ＣＣＡ）スロットインデックスの少なくとも１つに基づいてシーケンスを決定することと、決定されたシーケンスに基づいて、少なくとも１つのチャネルを使用して帯域を通じて通信することとを含む。
【０００８】
[0008]いくつかの例では、無線通信のための装置は、プロセッサと、プロセッサに結合されたメモリとを含む。プロセッサは、ある帯域を使用する事業者と関連付けられる事業者識別子または帯域を使用する事業者と関連付けられるクリアチャネルアセスメント（ＣＣＡ）スロットインデックスの少なくとも１つに基づいてシーケンスを決定し、決定されたシーケンスに基づいて、少なくとも１つのチャネルを使用して帯域を通じて通信するように構成され得る。
【０００９】
[0009]いくつかの例では、無線通信のための装置は、ある帯域を使用する事業者と関連付けられる事業者識別子または帯域を使用する事業者と関連付けられるクリアチャネルアセスメント（ＣＣＡ）スロットインデックスの少なくとも１つに基づいてシーケンスを決定する手段と、決定されたシーケンスに基づいて、少なくとも１つのチャネルを使用して帯域を通じて通信する手段とを含む。
【００１０】
[0010]いくつかの例では、非一時的コンピュータ可読媒体は、無線通信のためのコンピュータ実行可能コードを記憶する。コードは、ある帯域を使用する事業者と関連付けられる事業者識別子または帯域を使用する事業者と関連付けられるクリアチャネルアセスメント（ＣＣＡ）スロットインデックスの少なくとも１つに基づいてシーケンスを決定し、決定されたシーケンスに基づいて、少なくとも１つのチャネルを使用して帯域を通じて通信するように、プロセッサによって実行可能であり得る。
【００１１】
[0011]いくつかの例では、無線通信の方法は、無線チャネルに関するチャネル品質情報を測定することと、チャネル品質情報と事業者識別子とを含む測定結果報告を基地局に送信することとを含む。
【００１２】
[0012]いくつかの例では、無線通信に関する装置は、プロセッサと、プロセッサに結合されたメモリとを含む。プロセッサは、無線チャネルに関するチャネル品質情報を測定し、チャネル品質情報と事業者識別子とを含む測定結果報告を基地局に送信するように構成され得る。
【００１３】
[0013]いくつかの例では、無線通信のための装置は、無線チャネルに関するチャネル品質情報を測定する手段と、チャネル品質情報と事業者識別子とを含む測定結果報告を基地局に送信する手段とを含む。
【００１４】
[0014]いくつかの例では、非一時的コンピュータ可読媒体は、無線通信のためのコンピュータ実行可能コードを記憶する。コードは、無線チャネルに関するチャネル品質情報を測定し、チャネル品質情報と事業者識別子とを含む測定結果報告を基地局に送信するように、プロセッサによって実行可能であり得る。
【００１５】
[0015]シーケンスは参照シーケンスを含んでよく、少なくとも１つのチャネルは、制御チャネル、データチャネル、ランダムアクセスチャネル、物理マルチキャストチャネル、または同期チャネルの少なくとも１つを含んでよい。方法、装置、および／または非一時的コンピュータ可読媒体の様々な例は、決定されたシーケンスに基づいて少なくとも１つの参照信号を生成する機能、生成する手段、生成するためのモジュール、生成するように構成されるプロセッサ、および／または生成するためのコンピュータ実行可能コードを含んでよく、少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ：multicast-broadcast single-frequency network）参照信号の少なくとも１つを含む。帯域は共有帯域であり得る。いくつかの場合、少なくとも１つのチャネルを使用して帯域を通じて通信することは、決定されたシーケンスに基づいて少なくとも１つのチャネルのデータをスクランブルすること、または、決定されたシーケンスによって少なくとも１つのチャネルのデータをインターリーブすることの少なくとも１つを含む。
【００１６】
[0016]いくつかの場合、少なくとも１つのチャネルを使用して帯域を通じて通信することは、少なくとも１つのチャネルを通じてシーケンスを受信することを含み、方法、装置、および／または非一時的コンピュータ可読媒体の様々な例は、決定されたシーケンスに基づいてセルを識別する機能、識別する手段、識別するためのモジュール、識別するように構成されるプロセッサ、および／または識別するためのコンピュータ実行可能コードを含み得る。
【００１７】
[0017]いくつかの場合、少なくとも１つのチャネルを使用して帯域を通じて通信することは、少なくとも１つのチャネルを通じてシーケンスを受信することを含み、方法、装置、および／または非一時的コンピュータ可読媒体の様々な例は、決定されたシーケンスに基づいて事業者識別子を決定する機能、決定する手段、決定するモジュール、決定するように構成されるプロセッサ、および／または決定するためのコンピュータ実行可能コードを含み得る。シーケンスは、同期信号とともに受信されてよく、事業者識別子は、事業者と関連付けられる基地局から受信されるマスター情報ブロックを復号する前に決定され得る。いくつかの場合、シーケンスを決定することは、事業者識別子に基づいてシーケンス生成器の初期値を決定することを含み得る。
【００１８】
[0018]いくつかの場合、シーケンスはさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。事業者識別子は、事業者の公衆陸上モバイルネットワーク（ＰＬＭＮ）識別子または事業者のサービス識別子の少なくとも１つに基づいて決定され得る。第１の事業者は、帯域に関する第２の事業者と関連付けられる第２の事業者識別子とは別の、帯域に関する第１の事業者識別子と関連付けられ得る。
【００１９】
[0019]いくつかの場合、事業者識別子は、公衆陸上モバイルネットワーク（ＰＬＭＮ）識別子を含む。測定結果報告はさらにセル識別子を含み得る。
【００２０】
[0020]説明される方法および装置の適用可能性のさらなる範囲は、以下の発明を実施するための形態、特許請求の範囲、および図面から明らかになろう。説明の趣旨および範囲内の様々な変更および改変が当業者には明らかになるので、発明を実施するための形態および具体的な例は、例示として与えられるものにすぎない。
【図面の簡単な説明】
【００２１】
[0021]以下の図面を参照することにより、本発明の性質および利点のさらなる理解が得られ得る。添付の図において、同様のコンポーネントまたは特徴は同じ参照ラベルを有してもよい。さらに、同じタイプの様々なコンポーネントは、参照ラベルの後に、ダッシュと、同様のコンポーネントを区別する第２のラベルとを続けることによって区別され得る。本明細書で第１の参照ラベルだけが使用される場合、説明は、第２の参照ラベルにかかわらず、同一の第１の参照ラベルを有する同様のコンポーネントの任意の１つに適用可能である。
【図１】[0022]無線通信システムのブロック図。
【図２Ａ】[0023]様々な例による、免許不要帯域においてｌｏｎｇ  ｔｅｒｍ  ｅｖｏｌｕｔｉｏｎ（ＬＴＥ（登録商標））を使用するための展開シナリオの例を示す図。
【図２Ｂ】[0024]様々な例による、免許不要帯域においてＬＴＥを使用するスタンドアロンモードの例を示す図。
【図３】[0025]ある数の無線アクセスポイントおよびＵＥがｅＮＢのカバレッジエリア内にある無線通信システムのブロック図。
【図４】[0026]免許不要フレーム／間隔、および、例えばＬＴＥ無線フレームを含む周期的なフレーム構造に対するそれらの関係の様々な例を示す図。
【図５】[0027]様々な例による、周期的なゲーティング構造波形の例を示す図。
【図６】[0028]様々な例による、Ｓ’サブフレームの中のクリアチャネルアセスメント（ＣＣＡ）スロットのための配置の選択肢の例を示す図。
【図７Ａ】[0029]様々な例による、デバイス（例えば、ｅＮＢまたはＵＥ）の例のブロック図。
【図７Ｂ】様々な例による、デバイス（例えば、ｅＮＢまたはＵＥ）の例のブロック図。
【図８】[0030]様々な例による、ｅＮＢのブロック図。
【図９】[0031]様々な例による、ＵＥのブロック図。
【図１０】[0032]様々な例による、多入力多出力（ＭＩＭＯ）通信システムの例を示すブロック図。
【図１１】[0033]様々な例による、無線通信のための方法の例のフローチャート。
【図１２】[0034]様々な例による、無線通信のための方法の例のフローチャート。
【図１３】[0035]様々な例による、無線通信のための方法の例のフローチャート。
【図１４】[0036]様々な例による、無線通信のための方法の例のフローチャート。
【図１５】[0037]様々な例による、無線通信のための方法の例のフローチャート。
【発明を実施するための形態】
【００２２】
[0038]無線通信において使用されるシーケンスを決定するための方法、システム、装置、およびデバイスが説明される。ＬＴＥ／ＬＴＥ−Ａシステムのような無線通信システムでは、様々なチャネルおよび／または信号がシーケンスと関連付けられ得る。シーケンスは、干渉のランダム化、スクランブリング、インターリービング、情報の搬送（例えば、物理セルインジケータ（ＰＣＩ）の搬送）などのような目的で使用され得る。これらのチャネルと関連付けられるシーケンスは、物理または仮想セル識別子（セルＩＤ）、セルグループＩＤ、ＵＥ  ＩＤ、スクランブリングＩＤ、サブフレームインデックス、スロットインデックス、シンボルインデックス、コードワードインデックス、サイクリックプレフィックス（ＣＰ）タイプインデックス、および／またはマルチメディア−ブロードキャスト単一周波数ネットワーク（ＭＢＳＦＮ）ＩＤのような、１つ以上のパラメータの関数であり得る。しかしながら、通信帯域（例えば、ＬＴＥ−Ｕ帯域）を共有するとき、同じ帯域を共有することを望む複数の事業者があり得る。異なる事業者の通信を区別するために、事業者の公衆陸上モバイルネットワーク（ＰＬＭＮ）識別子または他の事業者識別子が使用され得る。したがって、本明細書で開示される方法、システム、装置、およびデバイスは、事業者識別子（例えば、ＰＬＭＮ識別子）またはクリアチャネルアセスメント（ＣＣＡ）スロットインデックスの一方または両方に基づいて、シーケンスを決定することを実現する。
【００２３】
[0039]本明細書で説明される技法は、ＬＴＥに限定されず、ＣＤＭＡ、ＴＤＭＡ、ＦＤＭＡ、ＯＦＤＭＡ、ＳＣ−ＦＤＭＡ、および他のシステムなどの様々な無線通信システムにも使用され得る。「システム」と「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装してもよい。ＣＤＭＡ２０００は、ＩＳ−２０００、ＩＳ−９５およびＩＳ−８５６規格を包含する。ＩＳ−２０００  Ｒｅｌｅａｓｅ  ０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装してもよい。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装してもよい。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ（登録商標））という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書で説明されている。本明細書で説明される技法は、上記のシステムおよび無線技術、ならびに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００２４】
[0040]以下の説明は例を与えるものであり、特許請求の範囲に記載される範囲、適用可能性、または構成を限定するものではない。本開示の趣旨および範囲から逸脱することなく、説明される要素の機能および配置に関して変更が行われ得る。様々な例は、適宜、様々な手順またはコンポーネントを省略し、置換し、または追加することができる。例えば、説明される方法は、説明される順序と異なる順序で実行されてもよく、様々なステップが追加され、省略され、または組み合わされてもよい。また、いくつかの例に関して説明される特徴が、他の例では組み合わされてもよい。
【００２５】
[0041]最初に図１を参照すると、図は無線通信システム１００の例を示す。システム１００は、複数のアクセスポイント（例えば、基地局、ｅＮＢ、またはＷＬＡＮアクセスポイント）１０５と、多くのユーザ機器（ＵＥ）１１５と、コアネットワーク１３０とを含む。アクセスポイント１０５のいくつかは、様々な例において、コアネットワーク１３０またはあるアクセスポイント１０５（例えば、基地局またはｅＮＢ）の一部であり得る、基地局コントローラ（図示せず）の制御下でＵＥ１１５と通信してもよい。アクセスポイント１０５のいくつかは、バックホール１３２を介してコアネットワーク１３０と制御情報および／またはユーザデータを通信してもよい。いくつかの例では、アクセスポイント１０５のいくつかは、有線または無線通信リンクであり得るバックホールリンク１３４を通じて、互いに直接または間接的に通信してもよい。システム１００は、複数のキャリア（異なる周波数の波形信号）上での動作をサポートしてもよい。マルチキャリア送信機は、複数のキャリア上で同時に、変調された信号を送信することができる。例えば、各通信リンク１２５は、様々な無線技術に従って変調されたマルチキャリア信号であってもよい。各々の変調された信号は、異なるキャリア上で送られてもよく、制御情報（例えば、参照信号、制御チャネルなど）、オーバーヘッド情報、データなどを搬送できる。
【００２６】
[0042]アクセスポイント１０５は、１つ以上のアクセスポイントアンテナを介してＵＥ１１５と無線で通信してもよい。アクセスポイント１０５の各々は、それぞれのカバレッジエリア１１０のための通信カバレッジを与えることができる。いくつかの例では、アクセスポイント１０５は、基地局、基地局装置（ＢＴＳ）、無線基地局、無線送受信機、基本サービスセット（ＢＳＳ）、拡張サービスセット（ＥＳＳ）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、ＷｉＦｉノード、または何らかの他の好適な用語で呼ばれてもよい。アクセスポイントに関するカバレッジエリア１１０は、カバレッジエリアの一部分のみを構成するセクタ（図示せず）に分割され得る。システム１００は、異なるタイプのアクセスポイント１０５（例えば、マクロ基地局、マイクロ基地局、および／またはピコ基地局）を含んでもよい。アクセスポイント１０５はまた、セルラーおよび／またはＷＬＡＮ無線アクセス技術のような、異なる無線技術を利用してもよい。アクセスポイント１０５は、同じまたは異なるアクセスネットワークもしくは事業者（operator）展開と関連付けられてもよい。同じもしくは異なるタイプのアクセスポイント１０５のカバレッジエリアを含み、同じもしくは異なる無線技術を利用し、および／または、同じもしくは異なるアクセスネットワークに属する、異なるアクセスポイント１０５のカバレッジエリアは重複してもよい。
【００２７】
[0043]いくつかの例では、システム１００はＬＴＥ／ＬＴＥ−Ａ通信システム（またはネットワーク）を含んでよく、ＬＴＥ／ＬＴＥ−Ａ通信システムは、１つ以上のＬＴＥ−Ｕ動作モードまたは展開シナリオをサポートすることができる。他の例では、システム１００は、ＬＴＥ−Ｕとは異なるアクセス技術と免許不要帯域とを使用して、または、ＬＴＥ／ＬＴＥ−Ａと異なるアクセス技術と免許帯域とを使用して、無線通信をサポートすることができる。ＬＴＥ／ＬＴＥ−Ａ通信システムでは、ｅｖｏｌｖｅｄ  ＮｏｄｅＢまたはｅＮＢという用語は一般に、アクセスポイント１０５を表すために使用され得る。システム１００は、異なるタイプのｅＮＢが様々な地理的領域のためのカバレッジを与える、異種（Heterogeneous）ＬＴＥ／ＬＴＥ−Ａ／ＬＴＥ−Ｕネットワークであり得る。例えば、各ｅＮＢ１０５は、マクロセル、ピコセル、フェムトセル、および／または他のタイプのセルのための通信カバレッジを提供できる。ピコセル、フェムトセル、および／または他のタイプのセルなどのスモールセルは、低電力ノードまたはＬＰＮを含んでもよい。マクロセルは一般に、比較的大きい地理的エリア（例えば、半径数キロメートル）をカバーし、サービスに加入しているＵＥによるネットワークプロバイダとの無制限アクセスを可能にしてもよい。ピコセルは一般に、比較的小さい地理的エリアをカバーし、ネットワークプロバイダのサービスに加入しているＵＥによる無制限アクセスを可能にしてもよい。フェムトセルはまた一般に、比較的小さい地理的エリア（例えば、自宅）をカバーし、無制限アクセスに加えて、フェムトセルとの関連を有するＵＥ（例えば、限定加入者グループ（ＣＳＧ）中のＵＥ、自宅内のユーザのためのＵＥなど）による制限付きアクセスも提供してもよい。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれてもよい。ｅＮＢは、１つ以上の（例えば、２つ、３つ、４つなどの）セルをサポートしてもよい。
【００２８】
[0044]コアネットワーク１３０は、バックホール１３２（例えば、Ｓ１など）を介してｅＮＢ１０５と通信してもよい。ｅＮＢ１０５はまた、例えば、バックホールリンク１３４（例えば、Ｘ２など）を介して、および／またはバックホール１３２を介して（例えば、コアネットワーク１３０を通じて）、直接または間接的に互いに通信してもよい。無線通信システム１００は、同期動作または非同期動作をサポートしてもよい。同期動作の場合、ｅＮＢは同様のフレームタイミングおよび／またはゲーティングタイミングを有してもよく、異なるｅＮＢからの送信は時間的にほぼ揃えられ得る。非同期動作の場合、ｅＮＢは異なるフレームタイミングおよび／またはゲーティングタイミングを有してよく、異なるｅＮＢからの伝送は時間的に揃えられなくてもよい。本明細書で説明される手法は、同期動作または非同期動作のいずれにも使用され得る。
【００２９】
[0045]ＵＥ１１５は、無線通信システム１００全体にわたって分散されてよく、各ＵＥ１１５は固定式または移動式であり得る。ＵＥ１１５は、当業者によって、モバイルデバイス、モバイル局、加入者局、モバイルユニット、加入者ユニット、無線ユニット、リモートユニット、無線デバイス、無線通信デバイス、リモートデバイス、モバイル加入者局、アクセス端末、モバイル端末、無線端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、無線モデム、無線通信デバイス、ハンドヘルドデバイス、タブレットコンピュータ、ラップトップコンピュータ、コードレスフォン、時計または眼鏡などのウェアラブルアイテム、無線ローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるアクセスネットワーク上で通信することが可能であり得る。
【００３０】
[0046]システム１００に示された通信リンク１２５は、（例えば、ＵＥ１１５からｅＮＢ１０５への）アップリンク（ＵＬ）送信を搬送するためのアップリンク、および／または（例えば、ｅＮＢ１０５からＵＥ１１５への）ダウンリンク（ＤＬ）送信を搬送するためのダウンリンクを含み得る。ＵＬ送信は逆方向リンク送信と呼ばれることもあり、一方、ＤＬ送信は順方向リンク送信と呼ばれることもある。ダウンリンク送信は、免許帯域（例えば、ＬＴＥ）、免許不要帯域（例えば、ＬＴＥ−Ｕ）、または両方（ＬＴＥ／ＬＴＥ−Ｕ）を使用して行われ得る。同様に、アップリンク送信は、免許帯域（例えば、ＬＴＥ）、免許不要帯域（例えば、ＬＴＥ−Ｕ）、または両方（ＬＴＥ／ＬＴＥ−Ｕ）を使用して行われ得る。
【００３１】
[0047]システム１００のいくつかの例では、免許帯域におけるＬＴＥダウンリンク容量が免許不要帯域にオフロードされ得る補助ダウンリンクモードと、ＬＴＥダウンリンク容量およびＬＴＥアップリンク容量の両方が免許帯域から免許不要帯域にオフロードされ得るキャリアアグリゲーションモードと、基地局（例えば、ｅＮＢ）とＵＥとの間のＬＴＥダウンリンク通信およびＬＴＥアップリンク通信が免許不要帯域において行われ得るスタンドアロンモードとを含む、ＬＴＥ−Ｕのための様々な展開シナリオがサポートされ得る。基地局またはｅＮＢ１０５、ならびにＵＥ１１５は、これらまたは同様の動作モードの１つ以上をサポートしてもよい。ＯＦＤＭＡ通信信号は、免許不要帯域および／または免許帯域におけるＬＴＥダウンリンク送信のために通信リンク１２５において使用されてよく、一方、ＳＣ−ＦＤＭＡ通信信号は、免許不要帯域および／または免許帯域におけるＬＴＥアップリンク送信のために通信リンク１２５において使用されてよい。
【００３２】
[0048]次に図２Ａを参照すると、無線通信システム２００は、ＬＴＥ−ＵをサポートするＬＴＥネットワークのための補助ダウンリンクモードおよびキャリアアグリゲーションモードの例を示す。システム２００は、図１のシステム１００の部分の例であり得る。その上、基地局２０５は図１の基地局１０５の例であってよく、一方、ＵＥ２１５、２１５−ａ、および２１５−ｂは図１のＵＥ１１５の例であってよい。
【００３３】
[0049]システム２００における補助ダウンリンクモードの例では、基地局２０５は、ダウンリンク２２０を使用してＵＥ２１５にＯＦＤＭＡ通信信号を送信してもよい。ダウンリンク２２０は、免許不要帯域の中の周波数Ｆ１と関連付けられ得る。基地局２０５は、双方向リンク２２５を使用してＯＦＤＭＡ通信信号を同じＵＥ２１５に送信することができ、双方向リンク２２５を使用してＳＣ−ＦＤＭＡ通信信号をそのＵＥ２１５から受信することができる。双方向リンク２２５は、免許帯域における周波数Ｆ４と関連付けられ得る。免許不要帯域の中のダウンリンク２２０および免許帯域の中の双方向リンク２２５は、同時に動作してもよい。ダウンリンク２２０は、基地局２０５のためにダウンリンク容量のオフロードを提供してもよい。いくつかの例では、ダウンリンク２２０は、ユニキャストサービス（例えば、１つのＵＥへ宛てられる）のサービスのために、またはマルチキャストサービス（例えば、いくつかのＵＥへ宛てられる）のために使用され得る。このシナリオは、免許帯域を使用し、トラフィックおよび／またはシグナリングの混雑の一部を緩和する理由がある、任意のサービス提供者（例えば、従来のモバイルネットワーク事業者すなわちＭＮＯ）に関して生じ得る。
【００３４】
[0050]システム２００におけるキャリアアグリゲーションモードの一例では、基地局２０５は、双方向リンク２３０を使用してＵＥ２１５−ａにＯＦＤＭＡ通信信号を送信することができ、双方向リンク２３０を使用して同じＵＥ２１５−ａからＳＣ−ＦＤＭＡ通信信号を受信することができる。双方向リンク２３０は、免許不要帯域における周波数Ｆ１と関連付けられ得る。基地局２０５はまた、双方向リンク２３５を使用してＯＦＤＭＡ通信信号を同じＵＥ２１５−ａへ送信することができ、双方向リンク２３５を使用してＳＣ−ＦＤＭＡ通信信号を同じＵＥ２１５−ａから受信することができる。双方向リンク２３５は、免許帯域における周波数Ｆ２と関連付けられ得る。双方向リンク２３０は、基地局２０５のためにダウンリンク容量およびアップリンク容量のオフロードを提供してもよい。上で説明された補助ダウンリンクのように、このシナリオは、免許帯域を使用し、トラフィックおよび／またはシグナリングの混雑の一部を緩和する理由がある、任意のサービス提供者（例えば、ＭＮＯ）に関して生じ得る。
【００３５】
[0051]システム２００におけるキャリアアグリゲーションモードの別の例では、基地局２０５は、双方向リンク２４０を使用してＵＥ２１５−ｂにＯＦＤＭＡ通信信号を送信することができ、双方向リンク２４０を使用して同じＵＥ２１５−ｂからＳＣ−ＦＤＭＡ通信信号を受信することができる。双方向リンク２４０は、免許不要帯域における周波数Ｆ３と関連付けられ得る。基地局２０５はまた、双方向リンク２４５を使用してＯＦＤＭＡ通信信号を同じＵＥ２１５−ｂへ送信することができ、双方向リンク２４５を使用してＳＣ−ＦＤＭＡ通信信号を同じＵＥ２１５−ｂから受信することができる。双方向リンク２４５は、免許帯域における周波数Ｆ２と関連付けられ得る。双方向リンク２４０は、基地局２０５のためにダウンリンク容量およびアップリンク容量のオフロードを提供してもよい。この例および上で与えられた例は、説明を目的に提示され、容量のオフロードのためにＬＴＥおよびＬＴＥ−Ｕを組み合わせる他の同様の動作モードまたは展開シナリオが存在してもよい。
【００３６】
[0052]上で説明されたように、ＬＴＥ−Ｕ（免許不要バンドの中でＬＴＥ）を使用することによって提供される容量オフロードから利益を得ることができる典型的なサービス提供者は、ＬＴＥ帯域を用いる従来のＭＮＯである。これらのサービス提供者の場合、動作構成は、免許帯域上のＬＴＥ一次コンポーネントキャリア（ＰＣＣ）と免許不要帯域上のＬＴＥ−Ｕ二次コンポーネントキャリア（ＳＣＣ）とを使用するブートストラップモード（例えば、補足ダウンリンク、キャリアアグリゲーション）を含み得る。
【００３７】
[0053]キャリアアグリゲーションモードでは、データおよび制御は一般に、ＬＴＥ（例えば、双方向リンク２２５、２３５、および２４５）で通信され得るが、一方、データは一般に、ＬＴＥ−Ｕ（例えば、双方向リンク２３０および２４０）で通信され得る。ＬＴＥ−Ｕを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに含まれ得る。
【００３８】
[0054]図２Ｂは、ＬＴＥ−Ｕのためのスタンドアロンモードの例を示す無線通信システム２５０を示す。システム２５０は、図１のシステム１００の部分の例であり得る。その上、基地局２０５は、図１および／または図２Ａを参照して説明された基地局１０５および／または２０５の例であってよく、一方、ＵＥ２１５−ｃは、図１および／または図２ＡのＵＥ１１５および／または２１５の例であってよい。
【００３９】
[0055]システム２５０におけるスタンドアロンモードの例では、基地局２０５は、双方向リンク２５５を使用してＵＥ２１５−ｃにＯＦＤＭＡ通信信号を送信することができ、双方向リンク２５５を使用してＵＥ２１５−ｃからＳＣ−ＦＤＭＡ通信信号を受信することができる。双方向リンク２５５は、図２Ａを参照して上で説明された免許不要帯域の中の周波数Ｆ３と関連付けられ得る。スタンドアロンモードは、スタジアム内でのアクセス（例えば、ユニキャスト、マルチキャスト）のような、非従来型の無線アクセスのシナリオにおいて使用され得る。この動作モードの典型的なサービス提供者は、免許帯域を有しないスタジアムの所有者、ケーブル会社、イベント主催者、ホテル、企業、または大会社であり得る。
【００４０】
[0056]いくつかの例では、図１、図２Ａ、および／または図２Ｂを参照して説明されたｅＮＢ１０５および／または基地局２０５、または、図１、図２Ａ、および／または図２Ｂを参照して説明されたＵＥ１１５および／または２１５のような送信デバイスは、共有帯域のような帯域のチャネルへの（例えば、免許帯域または免許不要帯域の物理チャネルへの）アクセス権を得るためにゲーティング間隔を使用することができる。ゲーティング間隔は、ＥＴＳＩ（ＥＮ３０１  ８９３）において指定されているＬＢＴプロトコルに基づくリスンビフォートーク（ＬＢＴ：Listen Before Talk）のような、コンテンションベースプロトコルの適用を定め得る。ＬＢＴプロトコルの適用を定めるゲーティング間隔を使用するとき、ゲーティング間隔は、送信デバイスがクリアチャネルアセスメント（ＣＣＡ）を実行する理由があるときを示してもよい。ＣＣＡの結果は、帯域のチャネルが利用可能であるか、または使用中であるかを送信デバイスに示すことができる。チャネルが利用可能である（例えば、使用のために「クリア」である）ことをＣＣＡが示すとき、ゲーティング間隔は、通常はあらかじめ定められた送信間隔の間、送信デバイスがチャネルを使用することを許可してもよい。チャネルが利用可能ではない（例えば、使用中または予約済みである）ことをＣＣＡが示すとき、ゲーティング間隔は、送信デバイスが送信間隔の間にチャネルを使用するのを防ぎ得る。
【００４１】
[0057]図３は、ある数の無線アクセスポイント（例えば、ＷｉＦｉノード）３３５およびＵＥ３１５がｅＮＢ３０５のカバレッジエリア３１０内にある無線通信システム３００を示す。いくつかの例では、ｅＮＢ３０５、ＵＥ３１５、および／または無線アクセスポイント３３５は、図１、図２Ａ、および／または図２Ｂを参照して説明されたｅＮＢ１０５および／または２０５、ＵＥ１１５および／または２１５、ならびに／または無線アクセスポイント１０５の１つ以上の態様のそれぞれの例であり得る。
【００４２】
[0058]ｅＮＢ３０５およびＵＥ３１５は、免許帯域（例えば、ＬＴＥ／ＬＴＥ−Ａ帯域）の中の双方向リンク３２０と、免許不要帯域（例えば、ＬＴＥ−Ｕ帯域）の中の双方向リンク３２５のいずれかまたは両方を使用して、免許帯域または免許不要帯域を通じて互いに通信することができる。そのような通信は、図２Ａを参照して上で説明されたキャリアアグリゲーションシナリオの例であり得る。
【００４３】
[0059]免許不要帯域の中の双方向リンク３２５へのアクセス権を予約しようと試みるとき、ｅＮＢ３０５とＵＥ３１５の両方が、免許不要帯域の利用可能性を決定するためにＣＣＡを実行してもよい。いくつかの場合、ｅＮＢ３０５とＵＥ３１５の両方が、無線アクセスポイント３４０、および／またはｅＮＢ３０５のカバレッジエリア３１０の外側にあるがＵＥ３１５の範囲内にある他の潜在的な送信デバイスの存在を考慮するために、ＣＣＡを実行することができる。そのような無線アクセスポイント３４０は「隠されたノード」と呼ばれることがあり、それは、それらの存在がｅＮＢ３０５には知られておらず、ｅＮＢ３０５から隠されていることがあるからである。したがって、無線アクセスポイント３４０の潜在的な送信を発見するためにＣＣＡを実行するＵＥ３１５がない場合、ｅＮＢ３０５は、隠された無線アクセスポイント３４０が実際にはＵＥ３１５の近傍の１つ以上のデバイスとの通信のために免許不要帯域をすでに予約しているときに、免許不要帯域が特定の送信間隔において利用可能であると決定してもよい。
【００４４】
[0060]いくつかの場合、送信デバイスが、周期的にゲーティング間隔を生成し、周期的なフレーム構造の少なくとも１つの境界とゲーティング間隔の少なくとも１つの境界を同期させることが有用であり得る。例えば、共有帯域のような帯域においてセルラーダウンリンクのための周期的なゲーティング間隔を生成し、セルラーダウンリンクと関連付けられる周期的なフレーム構造（例えば、ＬＴＥ／ＬＴＥ−Ａ無線フレーム）の少なくとも１つの境界と周期的なゲーティング間隔の少なくとも１つの境界を同期させることが有用であり得る。そのような同期の例が図４に示される。
【００４５】
[0061]図４は、免許不要帯域におけるセルラーダウンリンクのための免許不要フレーム／間隔４０５、４１５、および／または４２５の例４００を示す。免許不要フレーム／間隔４０５、４１５、および／または４２５は、免許不要帯域（例えば、ＬＴＥ−Ｕ帯域）を通じた送信をサポートするｅＮＢによって周期的なゲーティング間隔として使用され得る。そのようなｅＮＢの例は、図１、図２Ａ、および／または図２Ｂを参照して説明された、アクセスポイント１０５および／または基地局２０５であり得る。免許不要フレーム／間隔４０５、４１５、および／または４２５は、図１、図２Ａ、および／または図２Ｂを参照して説明されたシステム１００、２００、および／または２５０とともに使用され得る。
【００４６】
[0062]例として、免許不要フレーム／間隔４０５の持続時間は、セルラーダウンリンクと関連付けられる周期的なフレーム構造のＬＴＥ／ＬＴＥ−Ａ無線フレーム４１０の持続時間に等しい（またはそれにほぼ等しい）ものとして示されている。いくつかの例では、「ほぼ等しい」は、免許不要フレーム／間隔４０５の持続時間が周期的なフレーム構造の持続時間のサイクリックプレフィックス（ＣＰ）持続時間内にあることを意味する。
【００４７】
[0063]免許不要フレーム／間隔４０５の少なくとも１つの境界は、ＬＴＥ／ＬＴＥ−Ａ無線フレームＮ−１〜Ｎ＋１を含む周期的なフレーム構造の少なくとも１つの境界と同期され得る。いくつかの場合、免許不要フレーム／間隔４０５は、周期的なフレーム構造のフレーム境界と揃えられた境界を有してもよい。他の場合には、免許不要フレーム／間隔４０５は、周期的なフレーム構造のフレーム境界と同期されているがそれからオフセットされている境界を有してもよい。例えば、免許不要フレーム／間隔４０５の境界は、周期的なフレーム構造のサブフレーム境界と揃えられてよく、または周期的なフレーム構造のサブフレーム中間点境界（例えば、特定のサブフレームの中間点）と揃えられてよい。
【００４８】
[0064]いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム４１０は、例えば１０ミリ秒の持続時間を有してよく、免許不要フレーム／間隔４０５も、１０ミリ秒の持続時間を有してよい。これらの場合、免許不要フレーム／間隔４０５の境界は、ＬＴＥ／ＬＴＥ−Ａ無線フレームの１つ（例えば、ＬＴＥ／ＬＴＥ−Ａ無線フレーム（Ｎ））の境界（例えば、フレーム境界、サブフレーム境界、またはサブフレーム中間点境界）と同期され得る。
【００４９】
[0065]例として、免許不要フレーム／間隔４１５および４２５の持続時間は、セルラーダウンリンクと関連付けられる周期的なフレーム構造の持続時間の約数（またはそのほぼ約数）であるものとして示されている。いくつかの例では、「〜のほぼ約数」は、免許不要フレーム／間隔４１５、４２５の持続時間が周期的なフレーム構造の約数（例えば、１／２または１／１０）の持続時間のサイクリックプレフィックス（ＣＰ）持続時間内にあることを意味する。例えば、免許不要フレーム／間隔４１５は、５ミリ秒の持続時間を有してよく、免許不要フレーム／間隔４２５は、１または２ミリ秒の持続時間を有してよい。
【００５０】
[0066]図５は、免許不要帯域におけるセルラーアップリンクとセルラーダウンリンクとの両方によって使用可能な周期的なゲーティング間隔５０５の例５００を示す。周期的なゲーティング間隔５０５は、ＬＴＥ−ＵをサポートするｅＮＢおよびＵＥによって使用され得る。そのようなｅＮＢの例は、図１、図２Ａ、図２Ｂ、および図３を参照して説明されたｅＮＢ１０５、２０５、および３０５であり得る。そのようなＵＥの例は、図１、図２Ａ、図２Ｂ、および図３を参照して説明されたＵＥ１１５、２１５、および３１５であり得る。
【００５１】
[0067]例として、周期的なゲーティング間隔５０５の持続時間は、セルラーダウンリンクと関連付けられる周期的なフレーム構造５１０の持続時間に等しい（またはほぼ等しい）ように示されている。周期的なゲーティング間隔５０５の境界は、周期的なフレーム構造５１０の境界と同期され得る（例えば、それと揃えられ得る）。
【００５２】
[0068]周期的なフレーム構造５１０は、１０個のサブフレーム（例えば、ＳＦ０、ＳＦ１、．．．ＳＦ９）を有するＬＴＥ／ＬＴＥ−Ａ無線フレームを含み得る。サブフレームＳＦ０〜ＳＦ４はダウンリンク（Ｄ）サブフレーム５１５であってよく、サブフレームＳＦ５は特別な（Ｓ’）サブフレーム５２０であってよく、サブフレームＳＦ６〜ＳＦ８はアップリンク（Ｕ）サブフレーム５２５であってよく、サブフレームＳＦ９は特別な（Ｓ’）サブフレーム５３０であってよい。Ｓ’サブフレームＳＦ９は、サブフレームＳＦ０〜ＳＦ４においてダウンリンク送信（例えば、ダウンリンクＣＣＡまたはＤＬＣＣＡ５３５）のためのＣＣＡを実行するために、ｅＮＢによって使用され得る。Ｓ’サブフレームＳＦ５は、サブフレームＳＦ６〜ＳＦ９の一部においてアップリンク送信（例えば、アップリンクＣＣＡまたはＵＬＣＣＡ５４０）のためのＣＣＡを実行するために、ＵＥによって使用され得る。
【００５３】
[0069]Ｓ’サブフレーム５３０および５２０は、１ミリ秒の持続時間を有するので、免許不要帯域の特定の物理チャネルをめぐって争う送信デバイスがＣＣＡを実行できる、１つ以上のＣＣＡスロットまたはウィンドウ５３５、５４０を含み得る。物理チャネルが利用可能であるが、周期的なゲーティング間隔５０５の終了の前にデバイスのＣＣＡが完了したことを送信デバイスのＣＣＡが示すとき、デバイスは、周期的なゲーティング間隔５０５の終了までチャネルを予約するために１つ以上の信号を送信してもよい。いくつかの場合、１つ以上の信号は、チャネル使用パイロット信号（ＣＵＰＳ）、チャネル使用ビーコン信号（ＣＵＢＳ）および／またはセル固有参照信号（ＣＲＳ）を含み得る。ＣＵＰＳ、ＣＵＢＳおよび／またはＣＲＳは、チャネル同期とチャネル予約の両方のために使用され得る。すなわち、別のデバイスがチャネル上でＣＵＰＳ、ＣＵＢＳまたはＣＲＳを送信し始めた後にチャネルのためにＣＣＡを実行するデバイスは、ＣＵＰＳ、ＣＵＢＳまたはＣＲＳのエネルギーを検出し、チャネルが現在利用不可能であると決定することができる。
【００５４】
[0070]送信デバイスが、物理チャネルのためのＣＣＡおよび／または物理チャネルを通じたＣＵＰＳ、ＣＵＢＳまたはＣＲＳの送信の完了に成功した後で、送信デバイスは、波形（例えば、ＬＴＥベースの波形）を送信するために、最長で所定の時間の期間（例えば、ＬＴＥ／ＬＴＥ−Ａ無線フレームの一部分）、物理チャネルを使用することができる。
【００５５】
[0071]図６は、図５を参照して説明された１０ミリ秒の周期的なゲーティング間隔５０５のＳ’サブフレーム５２０のようなゲーティング間隔のＳ’サブフレーム６００内で、ＬＢＴのようなコンテンションベースのプロトコルがどのように実装され得るかを示す。コンテンションベースのプロトコルは、例えば、図１、図２Ａ、２Ｂ、および／または図３を参照して説明される、システム１００、２００、２５０、および／または３００、アクセスポイントもしくはｅＮＢ１０５、２０５、ならびに／または３０５、および／またはＵＥ１１５、２１５、および／または３１５とともに使用され得る。
【００５６】
[0072]Ｓ’サブフレーム６００は、ガード期間（またはサイレント期間）６０５とＣＣＡ期間６１０とを有してもよい。例として、ガード期間６０５およびＣＣＡ期間６１０の各々は、０．５ミリ秒という持続時間を有し、７個のＯＦＤＭシンボル位置６１５（図６ではスロット１から７として標識される）を含み得る。ＤＬＣＣＡ５３５（図５の場合、ガード期間６０５はアップリンク送信期間と置き換えられ得る。
【００５７】
[0073]いくつかの場合、ｅＮＢは、免許不要帯域の後続の送信間隔のためのＣＣＡ６２０を実行して、免許不要帯域の送信間隔が送信間隔の間の送信に利用可能かどうかを決定するために、ＯＦＤＭシンボル位置６１５の１つ以上を選択することができる。いくつかの場合、ＯＦＤＭシンボル位置６１５の異なる１つが、Ｓ’サブフレーム６００の異なる発生において（すなわち、免許不要帯域の異なる送信間隔にＣＣＡ６２０を実行するために使用される異なるＳ’サブフレームにおいて）、擬似ランダムに識別または選択され得る。ＯＦＤＭシンボル位置の擬似ランダムな識別または選択は、ホッピングシーケンスを使用して制御され得る。他の場合、Ｓ’サブフレームの異なる発生において、同じＯＦＤＭシンボル位置６１５がｅＮＢによって選択され得る。
【００５８】
[0074]無線通信システムのｅＮＢは、同じまたは異なる事業者によって運用され得る。いくつかの例では、異なる事業者によって運用されるｅＮＢは、特定のＳ’サブフレーム６００の中のＯＦＤＭシンボル位置６１５の異なる１つを選択することができ、これによって異なる事業者間でのＣＣＡの競合を避ける。異なる事業者の擬似ランダムな選択機構が協調する場合、ＯＦＤＭシンボル位置６１５は、異なる事業者のｅＮＢが各々、いくつかの送信間隔に対する最も早いＯＦＤＭシンボル位置（すなわち、スロット１）においてＣＣＡ６２０を実行するための等しい機会を有するように、複数の異なる事業者によって擬似ランダムに選択され得る。したがって、経時的に、異なる事業者のｅＮＢは各々、他の事業者のｅＮＢが媒体にアクセスすることを望むかどうかとは無関係に、まずＣＣＡ６２０を実行して免許不要帯域の送信間隔へのアクセス権を得るための機会を有してもよい。ＣＣＡ６２０の成功の後で、ｅＮＢは、他のデバイスおよび／または事業者が免許不要帯域の送信間隔の１つ以上の物理チャネルを使用するのを防ぐために、ＣＵＰＳ、ＣＵＢＳまたはＣＲＳを送信することができる。
【００５９】
[0075]ＬＴＥ／ＬＴＥ−Ａシステムのような無線通信システムでは、様々なチャネルおよび／または信号がシーケンスと関連付けられ得る。シーケンスは、干渉のランダム化、スクランブリング、インターリービング、情報の搬送（例えば、物理セルインジケータ（ＰＣＩ）の搬送）などのような目的で使用され得る。ＬＴＥ／ＬＴＥ−Ａシステムにおいてシーケンスと関連付けられ得るチャネルおよび信号のいくつかは、一次同期信号（ＰＳＳ）、二次同期信号（ＳＳＳ）、物理ブロードキャストチャネル（ＰＢＣＨ）、セル固有参照信号（ＣＲＳ）、復調参照信号（ＤＭ−ＲＳ）、チャネル状態情報参照信号（ＣＳＩ−ＲＳ）、位置参照信号（ＰＲＳ）、マルチメディアブロードキャスト／マルチキャストサービス（ＭＢＭＳ）、物理ダウンリンク制御チャネル（ＰＤＣＣＨ）、エンハンスドＰＤＣＣＨ（ＥＰＤＣＣＨ）、物理ダウンリンク共有チャネル（ＰＤＳＣＨ）、物理ランダムアクセスチャネル（ＰＲＡＣＨ）、物理アップリンク制御チャネル（ＰＵＣＣＨ）、および／またはサウンディング参照信号（ＳＲＳ）を含む。これらのチャネルと関連付けられるシーケンスは、物理または仮想セル識別子（セルＩＤ）、セルグループＩＤ、ＵＥ  ＩＤ、スクランブリングＩＤ、サブフレームインデックス、スロットインデックス、シンボルインデックス、コードワードインデックス、サイクリックプレフィックス（ＣＰ）タイプインデックス、および／またはマルチメディア−ブロードキャスト単一周波数ネットワーク（ＭＢＳＦＮ）ＩＤのような、１つ以上のパラメータの関数であり得る。例えば、ＰＳＳシーケンスは、セルＩＤの一部としてのセルグループＩＤ（例えば、０／１／２）の関数であり得る。ＳＳＳシーケンスはセルＩＤの関数であってよく、ＣＲＳシーケンスの初期化ｃｉｎｉｔは、次の式に基づいてよく、
【００６０】
【数１】
2016536851.tif 000003
【００６１】
ここで、ｎｓはスロットインデックス（例えば、スロット番号）であり、ｌはシンボルインデックス（例えば、ＯＦＤＭシンボル番号）であり、
【００６２】
【数２】
2016536851.tif 000004
【００６３】
は物理セルＩＤであり、ＮＣＰはＣＰタイプインデックスである。
【００６４】
[0076]通信帯域（例えば、ＬＴＥ−Ｕ帯域）を共有するとき、同じ帯域を共有することを望む多数の事業者があり得る。異なる事業者の通信を区別するために、事業者の公衆陸上モバイルネットワーク（ＰＬＭＮ）識別子が使用され得る。いくつかの場合、事業者のＰＬＭＮ識別子は、ＰＢＣＨにおいてシステム情報ブロードキャストの一部としてシグナリングされ得る。加えて、または代替的に、サービス識別子のような他のタイプの事業者識別子を使用して、事業者が区別され得る。
【００６５】
[0077]ＬＴＥ−Ｕ帯域のような共有帯域において通信するときにも、異なる事業者が、ＬＴＥ−Ｕ帯域へのアクセス権を争うために異なるＣＣＡスロットを使用することがある。しかしながら、場合によっては、共有帯域を使用する事業者の数がＣＣＡスロットの数を超えることがあり、事業者の数がＣＣＡスロットの数を超えないときでも、隠れたノードの問題が、第１の事業者の送信と第２の事業者の送信または受信との間に干渉をもたらすことがある。例として、あるフレームにおいて別の事業者と関連付けられる２つのノードは、２つの異なるＣＣＡスロットを使用することがある。しかしながら、それらのノードの間の距離および／または他の条件（例えば、チャネル条件）により、一方のノードが他方のノードからのＤＬ送信を感知することができないことがあるので、両方のノードがフレームに対してクリアされたＣＣＡを有することがある。しかしながら、ＵＥが２つのノードの間に位置し、２つのノードの一方のみによってサービスされる場合、ＵＥは他方のノードからの無視できない干渉を受けることがある。
【００６６】
[0078]上の理由および他の理由で、共有帯域における事業者間の干渉は重大であり得る。この干渉は、同じセルＩＤを共有する異なる事業者の隣接するセルが存在するときには、さらに重大になる。また、ＰＢＣＨ（または別のシステム情報ブロードキャスト）を復号する前に、ＵＥは、事業者のＰＬＭＮ識別子を有しないことがあるので、異なる事業者にまたがるＰＣＩの混乱を経験してもよい。
【００６７】
[0079]ここで図７Ａを参照すると、ブロック７００は、様々な例による無線通信における使用のためのデバイス７０５を示す。いくつかの例では、デバイス７０５は、図１、図２Ａ、図２Ｂ、および／または図６を参照して説明された、ｅＮＢ１０５、２０５、および／または６０５の１つの、またはＵＥ１１５、２１５、および／または６１５の１つの、１つ以上の態様の例であり得る。デバイス７０５はプロセッサであってもよい。デバイス７０５は、受信機モジュール７１０、シーケンス管理モジュール７１５、および／または送信機モジュール７２０を含み得る。これらのコンポーネントの各々は互いに通信していることがある。
【００６８】
[0080]デバイス７０５のコンポーネントは、ハードウェアにおいて適用可能な機能の一部またはすべてを実行するように適合された１つ以上の識別用途向け集積回路（ＡＳＩＣ）とともに、個々にまたはまとめて実装され得る。代替的に、それらの機能は、１つ以上の他の処理ユニット（またはコア）によって、１つ以上の集積回路上で実行され得る。他の例では、当技術分野で知られている任意の方式でプログラムされ得る他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つ以上の汎用プロセッサまたは識別用途向けプロセッサによって実行されるようにフォーマットされた、メモリ内で具現化される命令によって実装され得る。
【００６９】
[0081]いくつかの例では、受信機モジュール７１０は、免許帯域（例えば、ＬＴＥ／ＬＴＥ−Ａ帯域）および／または免許不要帯域（例えば、ＬＴＥ−Ｕ帯域）における送信を受信するように動作可能な高周波（ＲＦ）受信機のような、ＲＦ受信機であってよく、またはそれを含んでよい。受信機モジュール７１０は、図１、図２Ａ、図２Ｂ、および／または図６を参照して説明された無線通信システム１００、２００、２５０、および／または６００の１つ以上の通信リンクのような、免許帯域および／または免許不要帯域を含む無線通信システムの１つ以上の通信リンク（例えば、物理チャネル）を通じて、様々なタイプのデータおよび／または制御信号（すなわち、送信）を受信するために使用され得る。
【００７０】
[0082]いくつかの例では、送信機モジュール７２０は、免許帯域および／または免許不要帯域の中で送信するように動作可能なＲＦ送信機のような、ＲＦ送信機であってよく、またはそれを含んでよい。送信機モジュール７２０は、図１、図２Ａ、図２Ｂ、および／または図６を参照して説明された無線通信システム１００、２００、２５０、および／または６００の１つ以上の通信リンクのような、無線通信システムの１つ以上の通信リンク（例えば、物理チャネル）を通じて様々なタイプのデータおよび／または制御信号（すなわち、送信）を送信するために使用され得る。
【００７１】
[0083]いくつかの例では、シーケンス管理モジュール７１５は、ある帯域を通じた無線通信のためのシーケンスを管理するために使用され得る。いくつかの場合、シーケンス管理は、ある帯域を使用する事業者と関連付けられる事業者識別子または帯域を使用する事業者と関連付けられるＣＣＡスロットインデックスの少なくとも１つに基づいて、シーケンスを決定することを伴い得る。いくつかの場合、シーケンスは、シーケンスを生成し、帯域の少なくとも１つのチャネルを通じてシーケンスを送信する目的で決定され得る。他の場合、シーケンスは、帯域の少なくとも１つのチャネルを通じてシーケンスを受信する目的で決定され得る。いくつかの場合、シーケンス管理モジュール７１５は、測定結果報告を決定するために使用され得る。測定結果報告は、事業者識別子、セル識別子、および／またはチャネル品質情報を含み得る。シーケンス管理モジュール７１５は、ｅＮＢ１０５などに測定結果報告を送信するために、送信機モジュール７２０と通信することができる。
【００７２】
[0084]ここで図７Ｂを参照すると、ブロック図７５０は、様々な例による無線通信において使用するためのデバイス７５５を示す。いくつかの例では、デバイス７５５は、図１、図２Ａ、図２Ｂ、および／または図６を参照して説明された、ｅＮＢ１０５、２０５、および／または６０５の１つの、またはＵＥ１１５、２１５、および／または６１５の１つの、１つ以上の態様の例であり得る。デバイス７５５はプロセッサであってもよい。デバイス７５５は、受信機モジュール７６０、シーケンス管理モジュール７６５、および／または送信機モジュール７７０を含み得る。これらのコンポーネントの各々は互いに通信していることがある。
【００７３】
[0085]デバイス７５５のコンポーネントは、個別にまたは集合的に、ハードウェア中の適用可能な機能の一部またはすべてを実行するように適合された１つ以上のＡＳＩＣによって実装され得る。代替的に、それらの機能は、１つ以上の他の処理ユニット（またはコア）によって、１つ以上の集積回路上で実行され得る。他の例では、当技術分野で知られている任意の方式でプログラムされ得る他のタイプの集積回路（例えば、ストラクチャード／プラットフォームＡＳＩＣ、ＦＰＧＡ、および他のセミカスタムＩＣ）が使用され得る。各ユニットの機能はまた、全体的または部分的に、１つ以上の汎用プロセッサまたは識別用途向けプロセッサによって実行されるようにフォーマットされた、メモリ内で具現化される命令によって実装され得る。
【００７４】
[0086]いくつかの例では、受信機モジュール７６０は、免許帯域（例えば、ＬＴＥ／ＬＴＥ−Ａ帯域）および／または免許不要帯域（例えば、ＬＴＥ−Ｕ帯域）の中で送信を受信するように動作可能なＲＦ受信機のような、ＲＦ受信機であってよく、またはそれを含んでよい。ＲＦ受信機は、免許帯域および免許不要帯域のための別個の受信機を含み得る。いくつかの場合、別個の受信機は、免許帯域モジュール７６２および免許不要帯域モジュール７６４という形態をとり得る。免許帯域モジュール７６２および／または免許不要帯域モジュール７６４を含む受信機モジュール７６０は、図１、図２Ａ、図２Ｂ、および／または図６を参照して説明された無線通信システム１００、２００、２５０、および／または６００の１つ以上の通信リンクのような、免許帯域と免許不要帯域とを含む無線通信システムの１つ以上の通信リンク（例えば、物理チャネル）を通じて様々なタイプのデータおよび／または制御信号（すなわち、送信）を受信するために使用され得る。
【００７５】
[0087]いくつかの例では、送信機モジュール７７０は、免許帯域および／または免許不要帯域の中で送信するように動作可能なＲＦ送信機のような、ＲＦ送信機であってよく、またはそれを含んでもよい。ＲＦ送信機は、免許帯域および免許不要帯域のための別個の送信機を含み得る。いくつかの場合、別個の送信機は、免許帯域モジュール７７２および免許不要帯域モジュール７７４という形態をとり得る。免許帯域モジュール７７２および／または免許不要帯域モジュール７６４を含む送信機モジュール７７０は、図１、図２Ａ、図２Ｂ、および／または図６を参照して説明された無線通信システム１００、２００、２５０、および／または６００の１つ以上の通信リンクのような、無線通信システムの１つ以上の通信リンク（例えば、物理チャネル）を通じて様々なタイプのデータおよび／または制御信号（すなわち、送信）を送信するために使用され得る。
【００７６】
[0088]いくつかの例では、シーケンス管理モジュール７６５は、図７Ａを参照して説明されるシーケンス管理モジュール７１５の１つ以上の態様の例であってよく、シーケンス決定ジュール７７５、および／または通信モジュール７８０を含み得る。
【００７７】
[0089]いくつかの例では、シーケンス決定モジュール７７５は、ある帯域（例えば、ＬＴＥ−Ｕ帯域）を使用する事業者と関連付けられる事業者識別子または帯域を使用する事業者と関連付けられるＣＣＡスロットインデックスの少なくとも１つの関数として、シーケンスを決定するために使用され得る。
【００７８】
[0090]いくつかの例では、事業者識別子は、事業者のＰＬＭＮ識別子に基づいて決定され得る。第１の事業者は帯域に関する第１の事業者識別子と関連付けられてよく、第２の事業者は帯域に関する第２の事業者識別子と関連付けられよく、以下同様である。事業者識別子の各々は、互いに別個であってよい（例えば、異なっていてよい）。
【００７９】
[0091]いくつかの例では、帯域を使用する事業者と関連付けられるＣＣＡスロットインデックスは、経時的に不変であり得る。他の例では、帯域を使用する事業者と関連付けられるＣＣＡスロットインデックスは、経時的に変化してもよい。
【００８０】
[0092]いくつかの例では、シーケンスを決定することは、事業者識別子に基づいてシーケンス生成器の初期値を決定することを含み得る。例えば、ＤＭ−ＲＳシーケンスの初期値（ｃｉｎｉｔ）は、次の式に従って、ＰＬＭＮ識別子に基づいて決定され得る。
【００８１】
【数３】
2016536851.tif 000005
【００８２】
ここで、ｎｓはスロットインデックス（例えば、サブフレーム内のスロット番号）であり、
【００８３】
【数４】
2016536851.tif 000006
【００８４】
は物理セルＩＤであり、ｎＰＬＭＮはＰＬＭＮを限られた数の値（例えば、０〜６）にマッピングすることによって決定されるＰＬＭＮ識別子であり、ｎＳＣＩＤはスクランブリングコードの識別情報である。
【００８５】
[0093]別の例として、ＰＵＳＣＨシーケンスの初期値（ｃｉｎｉｔ）は、次の式に従って、ＣＣＡスロットインデックスに基づいて決定され得る。
【００８６】
【数５】
2016536851.tif 000007
【００８７】
ここで、ｎＣＣＡはＣＣＡスロットインデックスであり、ｎＲＮＴＩは無線ネットワーク一時識別子であり、ｑはコードワードインデックスである。
【００８８】
[0094]いくつかの例では、シーケンスはさらに、セル識別子、またはＵＥ識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。例えば、ＳＳＳシーケンスは、ＰＬＭＮ識別子を限られた数の値（例えば、０〜６）の１つにマッピングして、元のＰＣＩ空間を実質的に増大させるためにＰＣＩとＰＬＭＮ識別子との組合せを使用することによって、ＰＬＭＮとＰＣＩの両方の関数として決定され得る。
【００８９】
[0095]いくつかの例では、通信モジュール７８０は、シーケンス決定モジュール７７５によって決定されるシーケンスに基づいて、少なくとも１つのチャネルを使用して帯域を通じて通信するために使用され得る。いくつかの例では、通信モジュール７８０は、測定結果報告を決定するために使用され得る。測定結果報告は、事業者識別子、セル識別子、および／またはチャネル品質情報を含み得る。チャネル品質情報は、参照信号受信電力（ＲＳＲＰ）、参照信号受信品質（ＲＳＲＱ）、受信信号強度インジケータ（ＲＳＳＩ）、１つ以上のチャネルと関連付けられるパケットエラーレート、干渉レベル、および／または干渉対熱雑音（ｉｎｔｅｒｆｅｒｅｎｃｅ  ｏｖｅｒ  ｔｈｅｒｍａｌ）を含み得る。通信モジュール７８０は、ｅＮＢ１０５などに測定結果報告を送信するために、送信機モジュール７７０と通信することができる。
【００９０】
[0096]いくつかの例では（例えば、デバイス７５５が送信デバイスとして構成されるとき）、少なくとも１つのチャネルを使用して帯域を通じて通信することは、決定されたシーケンスに基づいて少なくとも１つのチャネルのデータをスクランブルすること、または、決定されたシーケンスによって少なくとも１つのチャネルのデータをインターリーブすることを含み得る。他の例では（例えば、デバイス７５５が受信デバイスとして構成されるとき）、少なくとも１つのチャネルを使用して帯域を通じて通信することは、少なくとも１つのチャネルを通じてシーケンスを受信することを含み得る。
【００９１】
[0097]少なくとも１つのチャネルは、制御チャネル、データチャネル、ランダムアクセスチャネル、物理マルチキャストチャネル、または同期チャネルの少なくとも１つを含んでよい。
【００９２】
[0098]シーケンス管理モジュール７６５は、例えば、事業者識別子の早期の識別、および／またはスクランブリング、インターリービング、干渉処理などのためのシーケンスのランダム化を支援するのに有用であり得る。
【００９３】
[0099]図８を参照すると、ある帯域を通じた無線通信のために構成されたｅＮＢ８０５を示すブロック図８００が示されている。いくつかの例では、ｅＮＢ８０５は、図７Ａおよび／または図７Ｂを参照して説明されたデバイス７０５および／または７５５の１つ、ならびに／または、図１、図２Ａ、図２Ｂ、および／または図６を参照して説明されたｅＮＢ１０５、２０５、および／または６０５の１つの、１つ以上の態様の例であり得る。ｅＮＢ８０５は、図１、図２Ａ、図２Ｂ、図３、図４、図５、図６、および／または図７を参照して説明された特徴および機能の少なくともいくつかを実装するように構成され得る。ｅＮＢ８０５は、プロセッサモジュール８１０、メモリモジュール８２０、（送受信機モジュール８５５によって表される）少なくとも１つの送受信機モジュール、（アンテナ８６０によって表される）少なくとも１つのアンテナ、および／またはｅＮＢ帯域モジュール８７０を含み得る。ｅＮＢ８０５はまた、基地局通信モジュール８３０とネットワーク通信モジュール８４０の一方または両方を含み得る。これらのコンポーネントの各々は、１つ以上のバス８３５を通じて、直接的または間接的に互いに通信していてよい。
【００９４】
[0100]メモリモジュール８２０は、ランダムアクセスメモリ（ＲＡＭ）および／または読取り専用メモリ（ＲＯＭ）を含み得る。メモリモジュール８２０は、実行されると、プロセッサモジュール８１０に、ある帯域における無線通信のためのシーケンスを管理するための本明細書で説明される様々な機能を実行させるように構成される命令を含む、コンピュータ可読の、コンピュータ実行可能ソフトウェア（ＳＷ）コード８２５を記憶してもよい。代替的に、ソフトウェアコード８２５は、プロセッサモジュール８１０によって直接実行可能ではないことがあるが、例えば、コンパイルされ実行されると、ｅＮＢ８０５に、本明細書で説明される様々な機能を実行させるように構成され得る。
【００９５】
[0101]プロセッサモジュール８１０は、インテリジェントハードウェアデバイス、例えば、中央処理装置（ＣＰＵ）、マイクロコントローラ、ＡＳＩＣなどを含み得る。プロセッサモジュール８１０は、送受信機モジュール８５５、基地局通信モジュール８３０、および／またはネットワーク通信モジュール８４０を通じて受信された情報を処理することができる。プロセッサモジュール８１０はまた、アンテナ８６０を通じた送信のための送受信機モジュール８５５に、１つ以上の他の基地局もしくはｅＮＢ８０５−ａおよび８０５−ｂへの送信のための基地局通信モジュール８３０に、ならびに／または、図１を参照して説明されたコアネットワーク１３０の態様の一例であり得るコアネットワーク８４５への送信のためのネットワーク通信モジュール８４０に送られるべき情報を処理してもよい。プロセッサモジュール８１０は、単独で、またはｅＮＢ帯域モジュール８７０とともに、ある帯域において送信および／または受信されるシーケンスを管理する様々な態様を扱うことができる。
【００９６】
[0102]送受信機モジュール８５５は、パケットを変調し、変調されたパケットを送信のためにアンテナ８６０に与え、アンテナ８６０から受信されたパケットを復調するように構成されたモデムを含み得る。いくつかの場合、（１つ以上の）送受信機モジュール８５５は、１つ以上の送信機モジュールおよび１つ以上の別個の受信機モジュールとして実装され得る。いくつかの場合、送受信機モジュール８５５が、共有帯域および／または共有されない帯域における通信をサポートする。送受信機モジュール８５５は、免許帯域（例えば、ＬＴＥ帯域）および／または免許不要帯域（例えば、ＬＴＥ−Ｕ帯域）のような帯域における通信をサポートしてもよい。（１つ以上の）送受信機モジュール８５５は、例えば、図１、図２Ａ、図２Ｂ、図３、図７Ａ、および／または図７Ｂを参照して説明された、ＵＥもしくはデバイス１１５、２１５、３１５、７０５、および／または７５５の１つ以上と、（１つ以上の）アンテナ８６０を介して双方向に通信するように構成され得る。ｅＮＢ８０５は通常、複数のアンテナ８６０（例えば、アンテナアレイ）を含み得る。ｅＮＢ８０５は、ネットワーク通信モジュール８４０を通じてコアネットワーク８４５と通信してもよい。ｅＮＢ８０５はまた、基地局通信モジュール８３０を使用して、ｅＮＢ８０５−ａおよび８０５−ｂなどの他の基地局またはｅＮＢと通信してもよい。
【００９７】
[0103]図８のアーキテクチャによれば、ｅＮＢ８０５は通信管理モジュール８５０をさらに含み得る。通信管理モジュール８５０は、他の基地局、ｅＮＢ、および／またはデバイスとの通信を管理してもよい。通信管理モジュール８５０は、１つ以上のバス８３５を介してｅＮＢ８０５の他のコンポーネントの一部またはすべてと通信していることがある。代替的に、通信管理モジュール８５０の機能は、（１つ以上の）送受信機モジュール８５５のコンポーネントとして、コンピュータプログラム製品として、および／またはプロセッサモジュール８１０の１つ以上のコントローラ要素として実装され得る。
【００９８】
[0104]ｅＮＢ帯域モジュール８７０は、ある帯域における無線通信に関する図１、図２Ａ、図２Ｂ、図３、図４、図５、図６、図７Ａ、および／または図７Ｂを参照して説明された特徴および／または機能のいくつかまたはすべてを実行および／または制御するように構成され得る。例えば、ｅＮＢ帯域モジュール８７０は、免許帯域（例えば、ＬＴＥ帯域）における無線通信、ならびに／または、免許不要帯域（例えば、ＬＴＥ−Ｕ帯域）における補助ダウンリンクモード、キャリアアグリゲーションモード、および／またはスタンドアロンモードをサポートするように構成され得る。ｅＮＢ帯域モジュール８７０は、ＬＴＥ通信を扱うように構成されたＬＴＥモジュール８７５、ＬＴＥ−Ｕ通信を扱うように構成されたＬＴＥ免許不要モジュール８８０、ならびに／または、免許不要帯域においてＬＴＥ−Ｕ以外の通信を扱うように構成された免許不要モジュール８８５を含み得る。ｅＮＢ帯域モジュール８７０はまた、例えば、ある帯域における無線通信のためのシーケンスを管理するための、図１、図２、図３、図４、図５、図６、図７Ａ、および／または図７Ｂを参照して説明されたｅＮＢ機能のいずれかを実行するように構成されるｅＮＢシーケンス管理モジュール８９０を含み得る。ｅＮＢシーケンス管理モジュール８９０は、図７Ａ、および／または図７Ｂを参照して説明された同様のモジュール（例えば、モジュール７１５、および／またはモジュール７６５）の例であり得る。ｅＮＢ帯域モジュール８７０、またはその一部は、プロセッサを含んでよく、ならびに／または、ｅＮＢ帯域モジュール８７０の機能の一部またはすべては、プロセッサモジュール８１０によって、および／またはプロセッサモジュール８１０に関連して実行され得る。
【００９９】
[0105]図９を参照すると、ある帯域を通じた無線通信のために構成されたＵＥ９１５を示すブロック図９００が示されている。ＵＥ９１５は、様々な他の構成を有してよく、パーソナルコンピュータ（例えば、ラップトップコンピュータ、ネットブックコンピュータ、タブレットコンピュータなど）、携帯電話、ＰＤＡ、デジタルビデオレコーダ（ＤＶＲ）、インターネット機器、ゲーミングコンソール、電子リーダーなどに含まれてよく、またはそれらの一部であってよい。いくつかの場合、ＵＥ９１５は、モバイル動作を容易にするために、小型バッテリーのような内部電源（図示されず）を有してもよい。いくつかの例では、ＵＥ９１５は、図７Ａおよび／または図７Ｂを参照して説明されたデバイス７０５および／または７５５の１つ、ならびに／または、図１、図２Ａ、図２Ｂ、および／または図３を参照して説明されたＵＥ１１５、２１５、および／または３１５の１つの、１つ以上の態様の例であり得る。ＵＥ９１５は、図１、図２Ａ、図２Ｂ、図３、図４、図５、図６、図７Ａ、および／または図７Ｂを参照して説明された特徴および機能の少なくともいくつかを実装するように構成され得る。ＵＥ９１５はまた、図１、図２Ａ、図２Ｂ、図３、図７Ａ、図７Ｂ、および／または図８を参照して説明されたｅＮＢまたはデバイス１０５、２０５、３０５、７０５、７５５、および／または８０５の１つ以上と通信するように構成され得る。
【０１００】
[0106]ＵＥ９１５は、プロセッサモジュール９１０、メモリモジュール９２０、少なくとも１つの送受信機モジュール（送受信機モジュール９７０によって表される）、少なくとも１つのアンテナ（アンテナ９８０によって表される）、および／またはＵＥ帯域モジュール９４０を含み得る。これらのコンポーネントの各々は、１つ以上のバス９３５を通じて、直接的または間接的に互いに通信していてよい。
【０１０１】
[0107]メモリモジュール９２０は、ＲＡＭおよび／またはＲＯＭを含み得る。メモリモジュール９２０は、実行されると、プロセッサモジュール９１０に、ある帯域における無線通信のためのシーケンスを管理するための本明細書で説明される様々な機能を実行させるように構成される命令を含む、コンピュータ可読の、コンピュータ実行可能ソフトウェア（ＳＷ）コード９２５を記憶してもよい。いくつかの場合、実行される命令は、プロセッサモジュール９１０に、図７Ａおよび／または図７Ｂを参照して説明されたデバイス７０５および／または７５５の１つがシーケンスを管理する方法と同様にシーケンスを管理させ得る。代替的に、ソフトウェアコード９２５は、プロセッサモジュール９１０によって直接実行可能ではないことがあるが、（例えば、コンパイルされ実行されると）ＵＥ９１５に本明細書で説明される様々なＵＥ機能を実行させるように構成され得る。
【０１０２】
[0108]プロセッサモジュール９１０は、インテリジェントハードウェアデバイス、例えば、ＣＰＵ、マイクロコントローラ、ＡＳＩＣなどを含み得る。プロセッサモジュール９１０は、（１つ以上の）送受信機モジュール９７０を通じて受信された情報、および／または（１つ以上の）アンテナ９８０を通じた送信のために（１つ以上の）送受信機モジュール９７０に送られるべき情報を処理してもよい。プロセッサモジュール９１０は、単独で、またはＵＥ帯域モジュール９４０とともに、ある帯域における送信および／または受信されるシーケンスを管理する様々な態様を扱うことができる。いくつかの場合、プロセッサモジュール９１０は、図７Ａおよび／または図７Ｂを参照して説明されたデバイス７０５および／または７５５の１つがシーケンスを管理する方法と同様にシーケンスを管理することができる。
【０１０３】
[0109]（１つ以上の）送受信機モジュール９７０は、ｅＮＢと双方向に通信するように構成され得る。（１つ以上の）送受信機モジュール９７０は、１つ以上の送信機モジュールおよび１つ以上の別個の受信機モジュールとして実装され得る。いくつかの場合、送受信機モジュール９７０が、共有帯域および／または共有されない帯域における通信をサポートする。送受信機モジュール９７０は、免許帯域（例えば、ＬＴＥ帯域）および／または免許不要帯域（例えば、ＬＴＥ−Ｕ帯域）のような帯域における通信をサポートしてもよい。送受信機モジュール９７０は、パケットを変調し、変調されたパケットを送信のためにアンテナ９８０に与え、アンテナ９８０から受信されたパケットを復調するように構成されたモデムを含み得る。ＵＥ９１５は単一のアンテナを含み得るが、ＵＥ９１５が複数のアンテナ９８０を含み得る例があり得る。
【０１０４】
[0110]図９のアーキテクチャによれば、ＵＥ９１５は通信管理モジュール９３０をさらに含み得る。通信管理モジュール９３０は、様々な基地局またはｅＮＢとの通信を管理してもよい。通信管理モジュール９３０は、１つ以上のバス９３５を通じてＵＥ９１５の他のコンポーネントの一部またはすべてと通信しているＵＥ９１５のコンポーネントであり得る。代替的に、通信管理モジュール９３０の機能は、（１つ以上の）送受信機モジュール９７０のコンポーネントとして、コンピュータプログラム製品として、および／またはプロセッサモジュール９１０の１つ以上のコントローラ要素として実装され得る。
【０１０５】
[0111]ＵＥ帯域モジュール９４０は、ある帯域における無線通信に関する図１、図２Ａ、図２Ｂ、図３、図４、図５、図６、図７Ａ、および／または図７Ｂを参照して説明された特徴および／または機能のいくつかまたはすべてを実行および／または制御するように構成され得る。例えば、ＵＥ帯域モジュール９４０は、免許帯域（例えば、ＬＴＥ帯域）における無線通信、ならびに／または、免許不要帯域（例えば、ＬＴＥ−Ｕ帯域）における補助ダウンリンクモード、キャリアアグリゲーションモード、および／またはスタンドアロンモードをサポートするように構成され得る。ＵＥ帯域モジュール９４０は、ＬＴＥ通信を扱うように構成されたＬＴＥモジュール９４５、ＬＴＥ−Ｕ通信を扱うように構成されたＬＴＥ免許不要モジュール９５０、および／または、免許不要帯域においてＬＴＥ−Ｕ以外の通信を扱うように構成された免許不要モジュール９５５を含み得る。ＵＥ帯域モジュール９４０はまた、例えば、図７Ａおよび／または図７Ｂを参照して説明されたデバイス７０５および／または７５５の１つがシーケンス管理を実行する方法と同様にシーケンス管理を実行するように構成される、ＵＥシーケンス管理モジュール９６０を含み得る。シーケンス管理モジュール９６０は、図７Ａ、および／または図７Ｂを参照して説明された同様のモジュール（例えば、モジュール７１５、および／またはモジュール７６５）の例であり得る。ＵＥ帯域モジュール９４０、またはその一部は、プロセッサを含んでよく、ならびに／または、ＵＥ帯域モジュール９４０の機能の一部またはすべては、プロセッサモジュール９１０によって、および／またはプロセッサモジュール９１０に関連して実行され得る。
【０１０６】
[0112]次に図１０を参照すると、ｅＮＢ１００５とＵＥ１０１５とを含むように、多入力多出力（ＭＩＭＯ）通信システム１０００のブロック図が示されている。ｅＮＢ１００５およびＵＥ１０１５は、免許帯域および／または免許不要帯域（例えば、ＬＴＥ帯域および／またはＬＴＥ−Ｕ帯域）を使用したＬＴＥベースの通信をサポートすることができる。ｅＮＢ１００５は、図７Ａおよび／または図７Ｂを参照して説明されたデバイス７０５および／または７５５の１つ、ならびに／または、図１、図２Ａ、図２Ｂ、図３、および／または図８を参照して説明されたｅＮＢ１０５、２０５、３０５、および／または８０５の１つの、１つ以上の態様の例であり得る。ＵＥ１０１５は、図７Ａおよび／または図７Ｂを参照して説明されたデバイス７０５および／または７５５の１つ、ならびに／または、図１、図２Ａ、図２Ｂ、図３、および／または図９を参照して説明されたＵＥ１１５、２１５、３１５、および／または９１５の１つの、１つ以上の態様の例であり得る。システム１０００は、図１、図２Ａ、図２Ｂ、および／または図６を参照して説明された無線通信システム１００、２００、２５０、および／または６００の態様を示してもよい。
【０１０７】
[0113]ｅＮＢ１００５はアンテナ１０３４−ａ〜１０３４−ｘを備えてよく、ＵＥ１０１５はアンテナ１０５２−ａ〜１０５２−ｎを備えてよい。システム１０００では、ｅＮＢ１００５は複数の通信リンクを通じて同時にデータを送ることが可能であり得る。各通信リンクは「レイヤ」と呼ばれることがあり、通信リンクの「ランク」は、通信に使用されるレイヤの数を示してもよい。例えば、ｅＮＢ１００５が２つの「レイヤ」を送信する２×２ＭＩＭＯシステムでは、ｅＮＢ１００５とＵＥ１０１５との間の通信リンクのランクは２であり得る。
【０１０８】
[0114]ｅＮＢ１００５において、送信メモリ１０４２と通信可能に結合される送信（Ｔｘ）プロセッサ１０２０がデータソースからデータを受信してもよい。送信プロセッサ１０２０は、データを処理してもよい。送信プロセッサ１０２０はまた、ある数の参照シンボルおよび／または１つのセル固有参照信号のための参照シーケンスを生成してもよい。送信（Ｔｘ）ＭＩＭＯプロセッサ１０３０は、可能な場合、データシンボル、制御シンボル、および／または参照シンボルに対して空間処理（例えば、プリコーディング）を実行することができ、出力シンボルストリームを送信（Ｔｘ）変調器１０３２−ａ〜１０３２−ｘに提供することができる。各変調器１０３２は、出力サンプルストリームを取得するために、（例えば、ＯＦＤＭなどのための）それぞれの出力シンボルストリームを処理してもよい。各変調器１０３２はさらに、ダウンリンク（ＤＬ）信号を取得するために出力サンプルストリームを処理する（例えば、アナログに変換し、増幅し、フィルタリングし、アップコンバートする）ことができる。１つの例では、変調器１０３２−ａ〜１０３２−ｘからのＤＬ信号は、それぞれアンテナ１０３４−ａ〜１０３４−ｘを介して送信され得る。
【０１０９】
[0115]ＵＥ１０１５において、アンテナ１０５２−ａ〜１０５２−ｎは、ｅＮＢ１００５からＤＬ信号を受信することができ、受信された信号をそれぞれ受信（Ｒｘ）復調器１０５４−ａ〜１０５４−ｎに提供することができる。各復調器１０５４は、入力サンプルを取得するために、それぞれの受信された信号を調整する（例えば、フィルタリングし、増幅し、ダウンコンバートし、およびデジタル化する）ことができる。各復調器１０５４はさらに、受信されたシンボルを取得するために、（例えば、ＯＦＤＭなどのために）入力サンプルを処理してもよい。ＭＩＭＯ検出器１０５６は、すべての復調器１０５４−ａ〜１０５４−ｎから受信されたシンボルを取得し、可能な場合、受信されたシンボルに対してＭＩＭＯ検出を実行し、検出されたシンボルを提供することができる。受信（Ｒｘ）プロセッサ１０５８は、検出されたシンボルを処理し（例えば、復調し、デインターリーブし、および復号し）、ＵＥ１０１５のための復号されたデータをデータ出力に提供し、復号された制御情報をプロセッサ１０８０またはメモリ１０８２に提供することができる。
【０１１０】
[0116]アップリンク（ＵＬ）上で、ＵＥ１０１５において、送信（Ｔｘ）プロセッサ１０６４は、データソースからのデータを受信し、処理してもよい。送信プロセッサ１０６４はまた、ある数の参照シンボルおよび／または１つの参照信号のための参照シーケンスを生成してもよい。送信プロセッサ１０６４からのシンボルは、可能な場合は送信（Ｔｘ）ＭＩＭＯプロセッサ１０６６によってプリコーディングされ、送信（Ｔｘ）復調器１０５４−ａ〜１０５４−ｎによって（例えば、ＳＣ−ＦＤＭＡなどのために）さらに処理され、ｅＮＢ１００５から受信された送信パラメータに従ってｅＮＢ１００５に送信され得る。ｅＮＢ１００５において、ＵＥ１０１５からのＵＬ信号がアンテナ１０３４によって受信され、受信機（Ｒｘ）復調器１０３２によって処理され、可能な場合はＭＩＭＯ検出器１０３６によって検出され、受信（Ｒｘ）プロセッサ１０３８によってさらに処理され得る。受信プロセッサ１０３８は、復号されたデータをデータ出力およびプロセッサ１０４０に提供することができる。
【０１１１】
[0117]プロセッサ１０４０および１０８０は、ある帯域における無線通信のためのシーケンスを管理するための、それぞれのモジュールまたは機能１０４１と１０８１とを含み得る。いくつかの例では、モジュールまたは機能１０４１、１０８１は、図７Ａ、図７Ｂ、図８、および／または図９を参照して説明されたシーケンス管理モジュール７１５、７６５、８９０、および／または９６０の１つ以上の態様の例であり得る。ｅＮＢ１００５は、ＵＥ１０１５および／または他のデバイスへの／からの無線通信の送信または受信に関連してシーケンスを管理するために、モジュールまたは機能１０４１を使用することができ、一方、ＵＥ１０１５は、ｅＮＢ１００５および／または他のデバイスへの／からの無線通信の送信または受信に関連してシーケンスを管理するために、モジュールまたは機能１０８１を使用することができる。いくつかの場合、ｅＮＢ１００５およびＵＥ１０１５は、ｅＮＢ１００５およびＵＥ１０１５の各々がＣＣＡの実行に成功した後にだけ、ある帯域を通じて互いに通信することができる。いくつかの場合、ｅＮＢ１００５およびＵＥ１０１５は、ｅＮＢ１００５およびＵＥ１０１５の各々が、通信の間にｅＮＢ１００５およびＵＥ１０１５によって使用されることになる各物理チャネルに対するＣＣＡの実行に成功した後にだけ、ある帯域を通じて互いに通信することができる。
【０１１２】
[0118]ｅＮＢ１００５のコンポーネントは、ハードウェアにおいて適用可能な機能の一部またはすべてを実行するように適合された１つ以上のＡＳＩＣとともに、個々にまたはまとめて実装され得る。言及されたモジュールの各々は、システム１０００の動作に関する１つ以上の機能を実行するための手段であり得る。同様に、ＵＥ１０１５のコンポーネントは、適用可能な機能の一部またはすべてをハードウェアで実行するように適合された１つ以上のＡＳＩＣによって、個々にまたはまとめて実装され得る。言及されたコンポーネントの各々は、システム１０００の動作に関する１つ以上の機能を実行するための手段であり得る。
【０１１３】
[0119]図１１は、無線通信のための方法１１００の例を示すフローチャートである。明瞭にするために、方法１１００は、図３、図７Ａ、および／または図７Ｂを参照して説明された、デバイス３３５、７０５、および／または７５５の１つ、図１、図２Ａ、図２Ｂ、図３、図８、および／または図１０を参照して説明されたｅＮＢ１０５、２０５、３０５、８０５、および／または１００５の１つ、ならびに／または、図１、図２Ａ、図２Ｂ、図３、図９、および／または図１０を参照して説明されたＵＥ１１５、２１５、３１５、９１５、および／または１０１５の１つを参照して以下で説明される。一例では、ｅＮＢ１０５、２０５、３０５、８０５、もしくは１００５、またはＵＥ１１５、２１５、３１５、９１５、もしくは１０１５のようなデバイスが、以下で説明される機能を実行するようにデバイスの機能要素を制御するために、コードの１つ以上のセットを実行することができる。
【０１１４】
[0120]ブロック１１０５において、シーケンスは、ある帯域（例えば、ＬＴＥ−Ｕ帯域）を使用する事業者と関連付けられる事業者識別子または帯域を使用する事業者と関連付けられるＣＣＡスロットインデックスの少なくとも１つに基づいて、決定され得る。いくつかの場合、ブロック１１０５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明されたシーケンス決定モジュール７７５を使用して実行され得る。
【０１１５】
[0121]いくつかの例では、事業者識別子は、事業者のＰＬＭＮ識別子に基づいて決定され得る。第１の事業者は帯域に関する第１の事業者識別子と関連付けられてよく、第２の事業者は帯域に関する第２の事業者識別子と関連付けられよく、以下同様である。事業者識別子の各々は、互いに別個であってよい（例えば、異なっていてよい）。
【０１１６】
[0122]いくつかの例では、帯域を使用する事業者と関連付けられるＣＣＡスロットインデックスは、経時的に不変であり得る。他の例では、帯域を使用する事業者と関連付けられるＣＣＡスロットインデックスは、経時的に変化してもよい。
【０１１７】
[0123]いくつかの例では、シーケンスを決定することは、事業者識別子に基づいてシーケンス生成器の初期値を決定することを含み得る。例えば、ＤＭ−ＲＳシーケンスの初期値は、式２を参照して説明されたように、ＰＬＭＮ識別子に基づいて決定され得る。または、例えば、ＰＵＳＣＨシーケンスの初期値は、式３を参照して説明されたように、ＣＣＡスロットインデックスに基づいて決定され得る。
【０１１８】
[0124]いくつかの例では、シーケンスはさらに、セル識別子、またはＵＥ識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。例えば、本明細書で以前に説明されたように、ＳＳＳシーケンスは、ＰＬＭＮとＰＣＩの両方に基づいて決定され得る。
【０１１９】
[0125]ブロック１１１０において、決定されたシーケンスに基づく少なくとも１つのチャネルが、帯域を通じて通信するために使用され得る。いくつかの場合、ブロック１１１０の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明された通信モジュール７８０を使用して実行され得る。
【０１２０】
[0126]いくつかの例では（例えば、送信デバイスの場合）、少なくとも１つのチャネルを使用して帯域を通じて通信することは、決定されたシーケンスに基づいて少なくとも１つのチャネルのデータをスクランブルすること、または、決定されたシーケンスによって少なくとも１つのチャネルのデータをインターリーブすることを含み得る。他の例では（例えば、受信デバイスの場合）、少なくとも１つのチャネルを使用して帯域を通じて通信することは、少なくとも１つのチャネルを通じてシーケンスを受信することを含み得る。
【０１２１】
[0127]少なくとも１つのチャネルは、制御チャネル、データチャネル、ランダムアクセスチャネル、物理マルチキャストチャネル、または同期チャネルの少なくとも１つを含んでよい。
【０１２２】
[0128]方法１１００は、例えば、事業者識別子の早期の識別、および／またはスクランブリング、インターリービング、干渉処理などのためのシーケンスのランダム化を支援するのに有用であり得る。
【０１２３】
[0129]したがって、方法１１００は無線通信を提供してもよい。方法１１００は一実装形態にすぎず、方法１１００の動作は、他の実装形態が可能であるように再構成されてよく、または別様に修正されてよいことに留意されたい。
【０１２４】
[0130]図１２は、無線通信のための方法１２００の例を示すフローチャートである。明瞭にするために、方法１２００は、図３、図７Ａ、および／または図７Ｂを参照して説明されたデバイス３３５、７０５、および／または７５５の１つ、図１、図２Ａ、図２Ｂ、図３、図８、および／または図１０を参照して説明されたｅＮＢ１０５、２０５、３０５、８０５、および／または１００５の１つ、ならびに／または、図１、図２Ａ、図２Ｂ、図３、図９、および／または図１０を参照して説明されたＵＥ１１５、２１５、３１５、９１５、および／または１０１５の１つを参照して以下で説明される。一例では、ｅＮＢまたはＵＥ１０５、２０５、３０５、８０５、もしくは１００５、またはＵＥ１１５、２１５、３１５、９１５、もしくは１０１５のようなデバイスが、以下で説明される機能を実行するようにデバイスの機能要素を制御するために、コードの１つ以上のセットを実行することができる。
【０１２５】
[0131]ブロック１２０５において、シーケンスは、ある帯域（例えば、ＬＴＥ−Ｕ帯域）の少なくとも１つのチャネルを通じて受信され得る。少なくとも１つのチャネルは、制御チャネル、データチャネル、ランダムアクセスチャネル、物理マルチキャストチャネル、または同期チャネルの少なくとも１つを含んでよい。いくつかの場合、ブロック１２０５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明された通信モジュール７８０を使用して実行され得る。
【０１２６】
[0132]ブロック１２１０において、シーケンスは、帯域を使用する事業者と関連付けられる事業者識別子または帯域を使用する事業者と関連付けられるＣＣＡスロットインデックスの少なくとも１つに基づいて、決定され得る。いくつかの場合、ブロック１２１０の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明されたシーケンス決定モジュール７７５を使用して実行され得る。
【０１２７】
[0133]いくつかの例では、事業者識別子は、事業者のＰＬＭＮ識別子に基づいて決定され得る。第１の事業者は帯域に関する第１の事業者識別子と関連付けられてよく、第２の事業者は帯域に関する第２の事業者識別子と関連付けられよく、以下同様である。事業者識別子の各々は、互いに別個であってよい（例えば、異なっていてよい）。
【０１２８】
[0134]いくつかの例では、帯域を使用する事業者と関連付けられるＣＣＡスロットインデックスは、経時的に不変であり得る。他の例では、帯域を使用する事業者と関連付けられるＣＣＡスロットインデックスは、経時的に変化してもよい。
【０１２９】
[0135]いくつかの例では、シーケンスを決定することは、事業者識別子に基づいてシーケンス生成器の初期値を決定することを含み得る。例えば、ＤＭ−ＲＳシーケンスの初期値は、式２を参照して説明されたように、ＰＬＭＮ識別子に基づいて決定され得る。または、例えば、ＰＵＳＣＨシーケンスの初期値は、式３を参照して説明されたように、ＣＣＡスロットインデックスに基づいて決定され得る。
【０１３０】
[0136]いくつかの例では、シーケンスはさらに、セル識別子、またはＵＥ識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。例えば、本明細書で以前に説明されたように、ＳＳＳシーケンスは、ＰＬＭＮとＰＣＩの両方に基づいて決定され得る。
【０１３１】
[0137]いくつかの例では（例えば、送信デバイスの場合）、少なくとも１つのチャネルを使用して帯域を通じて通信することは、決定されたシーケンスに基づいて少なくとも１つのチャネルのデータをスクランブルすること、または、決定されたシーケンスによって少なくとも１つのチャネルのデータをインターリーブすることを含み得る。他の例では（例えば、受信デバイスの場合）、少なくとも１つのチャネルを使用して帯域を通じて通信することは、少なくとも１つのチャネルを通じてシーケンスを受信することを含み得る。
【０１３２】
[0138]ブロック１２１５において、決定されたシーケンスに基づいて、セルＩＤが識別され得る。いくつかの場合、ブロック１２１５における動作は、図７Ａ、７Ｂ、８，９、および／または図１０を参照して説明されたシーケンス管理モジュール７１５、７６５、８９０、９６０、１０４１、および／または１０８１を使用して実行され得る。
【０１３３】
[0139]したがって、方法１２００は無線通信を提供してもよい。方法１２００は一実装形態にすぎず、方法１２００の動作は、他の実装形態が可能であるように再構成されてよく、または別様に修正されてよいことに留意されたい。
【０１３４】
[0140]図１３は、無線通信のための方法１３００の例を示すフローチャートである。明瞭にするために、方法１３００は、図３、図７Ａ、および／または図７Ｂを参照して説明されたデバイス３３５、７０５、および／または７５５の１つ、図１、図２Ａ、図２Ｂ、図３、図８、および／または図１０を参照して説明されたｅＮＢ１０５、２０５、３０５、８０５、および／または１００５の１つ、ならびに／または、図１、図２Ａ、図２Ｂ、図３、図９、および／または図１０を参照して説明されたＵＥ１１５、２１５、３１５、９１５、および／または１０１５の１つを参照して以下で説明される。一例では、ｅＮＢ１０５、２０５、３０５、８０５、もしくは１００５、またはＵＥ１１５、２１５、３１５、９１５、もしくは１０１５のようなデバイスが、以下で説明される機能を実行するようにデバイスの機能要素を制御するために、コードの１つ以上のセットを実行することができる。
【０１３５】
[0141]ブロック１３０５において、シーケンスは、ある帯域（例えば、ＬＴＥ−Ｕ帯域）の少なくとも１つのチャネルを通じて受信され得る。少なくとも１つのチャネルは、制御チャネル、データチャネル、ランダムアクセスチャネル、物理マルチキャストチャネル、または同期チャネルの少なくとも１つを含んでよい。いくつかの場合、ブロック１３０５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明された通信モジュール７８０を使用して実行され得る。
【０１３６】
[0142]ブロック１３１０において、シーケンスは、帯域を使用する事業者と関連付けられる事業者識別子または帯域を使用する事業者と関連付けられるＣＣＡスロットインデックスの少なくとも１つに基づいて、決定され得る。いくつかの場合、ブロック１３１０の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明されたシーケンス決定モジュール７７５を使用して実行され得る。
【０１３７】
[0143]ブロック１３１５において、帯域を使用する事業者と関連付けられる事業者識別子が、決定されたシーケンスに基づいて決定され得る。いくつかの例では、事業者識別子は、事業者のＰＬＭＮ識別子に基づいて決定され得る。第１の事業者は帯域に関する第１の事業者識別子と関連付けられてよく、第２の事業者は帯域に関する第２の事業者識別子と関連付けられよく、以下同様である。事業者識別子の各々は、互いに別個であってよい（例えば、異なっていてよい）。
【０１３８】
[0144]いくつかの場合、ブロック１３０５において受信されるシーケンスは、同期信号とともに受信されてよく、事業者識別子は、事業者と関連付けられる基地局から受信されるマスター情報ブロックを復号する前に決定され得る。
【０１３９】
[0145]いくつかの例では、帯域を使用する事業者と関連付けられるＣＣＡスロットインデックスは、経時的に不変であり得る。他の例では、帯域を使用する事業者と関連付けられるＣＣＡスロットインデックスは、経時的に変化してもよい。
【０１４０】
[0146]いくつかの例では、シーケンスを決定することは、事業者識別子に基づいてシーケンス生成器の初期値を決定することを含み得る。例えば、ＤＭ−ＲＳシーケンスの初期値は、式２を参照して説明されたように、ＰＬＭＮ識別子に基づいて決定され得る。または、例えば、ＰＵＳＣＨシーケンスの初期値は、式３を参照して説明されたように、ＣＣＡスロットインデックスに基づいて決定され得る。
【０１４１】
[0147]いくつかの例では、シーケンスはさらに、セル識別子、またはＵＥ識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。例えば、本明細書で以前に説明されたように、ＳＳＳシーケンスは、ＰＬＭＮとＰＣＩの両方に基づいて決定され得る。
【０１４２】
[0148]任意選択で、ブロック１３２０において、事業者識別子を含む測定結果報告が基地局に送信され得る。測定結果報告は、セルＩＤおよび／またはチャネル品質情報のような他の情報も含み得る。チャネル品質情報は、参照信号受信電力（ＲＳＲＰ）、参照信号受信品質（ＲＳＲＱ）、受信信号強度インジケータ（ＲＳＳＩ）、１つ以上のチャネルと関連付けられるパケットエラーレート、干渉レベル、干渉対熱雑音、および／または他のタイプのチャネル品質情報の形態であり得る。
【０１４３】
[0149]方法１３００は、例えば事業者識別子の早期の識別を支援するのに有用であり得る。
【０１４４】
[0150]したがって、方法１３００は無線通信を提供してもよい。方法１３００は一実装形態にすぎず、方法１３００の動作は、他の実装形態が可能であるように再構成されてよく、または別様に修正されてよいことに留意されたい。
【０１４５】
[0151]図１４は、無線通信のための方法１４００の例を示すフローチャートである。明瞭にするために、方法１４００は、図３、図７Ａ、および／または図７Ｂを参照して説明されたデバイス３３５、７０５、および／または７５５の１つ、図１、図２Ａ、図２Ｂ、図３、図８、および／または図１０を参照して説明されたｅＮＢ１０５、２０５、３０５、８０５、および／または１００５の１つ、ならびに／または、図１、図２Ａ、図２Ｂ、図３、図９、および／または図１０を参照して説明されたＵＥ１１５、２１５、３１５、９１５、および／または１０１５の１つを参照して以下で説明される。一例では、ｅＮＢ１０５、２０５、３０５、８０５、もしくは１００５、またはＵＥ１１５、２１５、３１５、９１５、もしくは１０１５のようなデバイスが、以下で説明される機能を実行するようにデバイスの機能要素を制御するために、コードの１つ以上のセットを実行することができる。
【０１４６】
[0152]ブロック１４０５において、参照シーケンスは、ある帯域（例えば、ＬＴＥ−Ｕ帯域）を使用する事業者と関連付けられる事業者識別子または帯域を使用する事業者と関連付けられるＣＣＡスロットインデックスの少なくとも１つに基づいて、決定され得る。いくつかの場合、ブロック１４０５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明されたシーケンス決定モジュール７７５を使用して実行され得る。
【０１４７】
[0153]いくつかの例では、事業者識別子は、事業者のＰＬＭＮ識別子に基づいて決定され得る。第１の事業者は帯域に関する第１の事業者識別子と関連付けられてよく、第２の事業者は帯域に関する第２の事業者識別子と関連付けられよく、以下同様である。事業者識別子の各々は、互いに別個であってよい（例えば、異なっていてよい）。
【０１４８】
[0154]いくつかの例では、帯域を使用する事業者と関連付けられるＣＣＡスロットインデックスは、経時的に不変であり得る。他の例では、帯域を使用する事業者と関連付けられるＣＣＡスロットインデックスは、経時的に変化してもよい。
【０１４９】
[0155]いくつかの例では、参照シーケンスを決定することは、事業者識別子に基づいてシーケンス生成器の初期値を決定することを含み得る。
【０１５０】
[0156]いくつかの例では、シーケンスはさらに、セル識別子、またはＵＥ識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定され得る。例えば、本明細書で以前に説明されたように、ＳＳＳシーケンスは、ＰＬＭＮとＰＣＩの両方に基づいて決定され得る。
【０１５１】
[0157]ブロック１４１０において、決定されたシーケンスに基づいて、少なくとも１つの参照信号が生成され得る。少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号の少なくとも１つを含み得る。いくつかの場合、ブロック１４１０の動作は、図７Ａ、図７Ｂ、図８、図９、および／または図１０を参照して説明されたシーケンス管理モジュール７１５、７６５、８９０、９６０、１０４１、および／または１０８１を使用して実行され得る。
【０１５２】
[0158]ブロック１４１５において、決定されたシーケンスに基づく少なくとも１つのチャネルが、帯域を通じて通信するために使用され得る。この通信は、少なくとも１つの参照信号を送信することを含み得る。いくつかの場合、ブロック１４１５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明された通信モジュール７８０を使用して実行され得る。
【０１５３】
[0159]少なくとも１つのチャネルは、制御チャネル、データチャネル、ランダムアクセスチャネル、物理マルチキャストチャネル、または同期チャネルの少なくとも１つを含んでよい。
【０１５４】
[0160]方法１４００は、例えば、事業者識別子の早期の識別、および／またはスクランブリング、インターリービング、干渉処理などのためのシーケンスのランダム化を支援するのに有用であり得る。
【０１５５】
[0161]したがって、方法１４００は無線通信を提供してもよい。方法１４００は一実装形態にすぎず、方法１４００の動作は、他の実装形態が可能であるように再構成されてよく、または別様に修正されてよいことに留意されたい。
【０１５６】
[0162]図１５は、無線通信のための方法１５００の例を示すフローチャートである。明瞭にするために、方法１５００は、図３、図７Ａ、および／または図７Ｂを参照して説明されたデバイス３３５、７０５、および／または７５５の１つ、図１、図２Ａ、図２Ｂ、図３、図８、および／または図１０を参照して説明されたｅＮＢ１０５、２０５、３０５、８０５、および／または１００５の１つ、ならびに／または、図１、図２Ａ、図２Ｂ、図３、図９、および／または図１０を参照して説明されたＵＥ１１５、２１５、３１５、９１５、および／または１０１５の１つを参照して以下で説明される。一例では、ｅＮＢ１０５、２０５、３０５、８０５、もしくは１００５、またはＵＥ１１５、２１５、３１５、９１５、もしくは１０１５のようなデバイスが、以下で説明される機能を実行するようにデバイスの機能要素を制御するために、コードの１つ以上のセットを実行することができる。
【０１５７】
[0163]ブロック１５０５において、無線チャネルに関するチャネル品質情報が測定され得る。いくつかの場合、チャネル品質情報は、参照信号受信電力（ＲＳＲＰ）、参照信号受信品質（ＲＳＲＱ）、受信信号強度インジケータ（ＲＳＳＩ）、１つ以上のチャネルと関連付けられるパケットエラーレート、干渉レベル、および／または干渉対熱雑音を含む。いくつかの場合、ブロック１５０５の動作は、図７Ａ、図７Ｂ、図８、図９、および／または図１０を参照して説明されたシーケンス管理モジュール７１５、７６５、８９０、９６０、１０４１、および／または１０８１を使用して、ならびに／または、図７Ｂを参照して説明された通信モジュール７８０を使用して実行され得る。
【０１５８】
[0164]ブロック１５１０において、チャネル品質情報と事業者識別子とを含む測定結果報告が基地局に送信され得る。いくつかの場合、事業者識別子は、公衆陸上モバイルネットワーク（ＰＬＭＮ）識別子を含む。測定結果報告はセル識別子を含み得る。いくつかの場合、ブロック１５１０の動作は、図７Ａ、図７Ｂ、図８、図９、および／または図１０を参照して説明されたシーケンス管理モジュール７１５、７６５、８９０、９６０、１０４１、および／または１０８１を使用して、図７Ｂを参照して説明された通信モジュール７８０を使用して、ならびに／または、図７Ａ、図７Ｂ、図８、図９、および／または図１０を参照して説明された送信機モジュール７２０、７７０、８５５、９７０、および／または１０３２を使用して実行され得る。
【０１５９】
[0165]したがって、方法１５００は無線通信を提供してもよい。方法１５００は一実装形態にすぎず、方法１５００の動作は、他の実装形態が可能であるように再構成されてよく、または別様に修正されてよいことに留意されたい。
【０１６０】
[0166]添付の図面に関して上に記載された発明を実施するための形態は、例示的な例を説明しており、実装され得るまたは特許請求の範囲内に入る例のみを表すものではない。本明細書全体にわたって使用される「例示的」という用語は、「例、事例、または例示としての役割を果たすこと」を意味し、「好ましい」または「他の例よりも有利である」ことを意味しない。発明を実施するための形態は、説明された技法の理解をもたらすための具体的な詳細を含む。しかしながら、これらの技法は、これらの具体的な詳細を伴わずに実践され得る。場合によっては、説明される例の概念を不明瞭にしないために、よく知られている構造およびデバイスがブロック図の形態で示される。
【０１６１】
[0167]情報および信号は、種々の異なる技術および技法のいずれかを使用して表され得る。例えば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１６２】
[0168]本明細書の開示に関連して説明された様々な例示的な論理ブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタロジック、個別ハードウェアコンポーネント、または本明細書で説明された機能を実行するように設計されたそれらの任意の組合せによって実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、例えば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。いくつかの場合、プロセッサは、メモリと電子的に通信していてもよく、メモリは、プロセッサによって実行可能な命令を記憶する。
【０１６３】
[0169]本明細書において説明された機能は、ハードウェア、プロセッサによって実行されるソフトウェア、ファームウェア、またはそれらの任意の組合せで実装され得る。プロセッサによって実行されるソフトウェアで実装される場合、機能は、１つ以上の命令またはコードとしてコンピュータ可読媒体上に記憶され、またはコンピュータ可読媒体を介して送信され得る。他の例および実装形態が、本開示および添付の特許請求の範囲および趣旨内にある。例えば、ソフトウェアの性質により、上で説明された機能は、プロセッサ、ハードウェア、ファームウェア、配線、またはこれらのうちのいずれかの組合せによって実行されるソフトウェアを使用して実装され得る。機能を実装する特徴はまた、機能の一部が異なる物理的位置において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６４】
[0170]コンピュータプログラム製品またはコンピュータ可読媒体はともに、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のコンピュータ可読プログラムコードを搬送または記憶するために使用され、汎用もしくは専用コンピュータまたは汎用もしくは専用プロセッサによってアクセスされ得る、任意の他の媒体を備え得る。また、任意の接続がコンピュータ可読媒体と適切に呼ばれる。例えば、ソフトウェアが、同軸ケーブル、光ファイバケーブル、ツイストペア、デジタル加入者回線（ＤＳＬ）、または赤外線、無線およびマイクロ波などの無線技術を使用して、ウェブサイト、サーバ、または他のリモートソースから送信される場合、同軸ケーブル、光ファイバケーブル、ツイストペア、ＤＳＬ、または赤外線、無線およびマイクロ波などの無線技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方、ディスク（disc）は、データをレーザーで光学的に再生する。上記の組合せも、コンピュータ可読媒体の範囲内に含まれる。
【０１６５】
[0171]本開示の前述の説明は、当業者が本開示を構成または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例に対する選好を暗示せず、または必要としない。したがって、本開示は、本明細書で説明された例および設計に限定されるべきでなく、本明細書で開示された原理および新規の特徴に一致する最も広い範囲を与えられるべきである。
【図１】
2016536851.tif 000008
【図２Ａ】
2016536851.tif 000009
【図２Ｂ】
2016536851.tif 000010
【図３】
2016536851.tif 000011
【図４】
2016536851.tif 000012
【図５】
2016536851.tif 000013
【図６】
2016536851.tif 000014
【図７Ａ】
2016536851.tif 000015
【図７Ｂ】
2016536851.tif 000016
【図８】
2016536851.tif 000017
【図９】
2016536851.tif 000018
【図１０】
2016536851.tif 000019
【図１１】
2016536851.tif 000020
【図１２】
2016536851.tif 000021
【図１３】
2016536851.tif 000022
【図１４】
2016536851.tif 000023
【図１５】
2016536851.tif 000024
【国際調査報告】
2016536851.tif 000025
2016536851.tif 000026
2016536851.tif 000027
2016536851.tif 000028
2016536851.tif 000029